(57)【特許請求の範囲】
【請求項１】
ユーザ機器（ＵＥ）により、マクロ基地局又はマイクロ基地局により送信された第１の相関関係を受信するステップであって、前記第１の相関関係は、第１のサブフレームセットに関連付けられた論理チャネルの識別子を有する、ステップと、
前記ＵＥにより、前記第１のサブフレームセット内のサブフレームで前記マクロ基地局と通信するステップと、
前記ＵＥにより、第２のサブフレームセット内のサブフレームで前記マイクロ基地局と通信するステップと、
を有し、
前記第１のサブフレームセット内の前記サブフレーム及び前記第２のサブフレームセット内の前記サブフレームは重なり合わず、
前記ＵＥにより、前記第１のサブフレームセット内のサブフレームで前記マクロ基地局と通信するステップは、
前記ＵＥにより、前記第１の相関関係に従う前記第１のサブフレームセット内のアップリンクサブフレームで、前記第１の相関関係の中の前記論理チャネルの前記識別子に対応する無線ベアラ上でデータを前記マクロ基地局へ送信するステップ、
を有する、協調送信方法。
【請求項２】
前記ＵＥにより、前記第１のサブフレームセット内のサブフレームで前記マクロ基地局と通信するステップの前に、前記方法は、
前記ＵＥにより、前記第１のサブフレームセット内のダウンリンクサブフレームを決定するステップであって、前記第１のサブフレームセット内の前記ダウンリンクサブフレームは、ダウンリンクサブフレームｎが前記第１のサブフレームセットに属する場合、ダウンリンクサブフレーム（ｎ＋８）も前記第１のサブフレームセットに属することを満たす、ステップ、
を有する請求項１に記載の協調送信方法。
【請求項３】
前記ＵＥにより、前記第１のサブフレームセット内のサブフレームで前記マクロ基地局と通信するステップの前に、前記方法は、
前記ＵＥにより、前記第１のサブフレームセット内のアップリンクサブフレームを決定するステップであって、前記第１のサブフレームセット内の前記アップリンクサブフレームは、ダウンリンクサブフレームｎが前記第１のサブフレームセットに属する場合、アップリンクサブフレーム（ｎ＋４）も前記第１のサブフレームセットに属することを満たす、ステップ、
を更に有する請求項２に記載の協調送信方法。
【請求項４】
前記ＵＥにより、第２のサブフレームセット内のサブフレームで前記マイクロ基地局と通信するステップの前に、前記方法は、
前記ＵＥにより、前記第２のサブフレームセット内のダウンリンクサブフレームを決定するステップであって、前記第２のサブフレームセット内の前記ダウンリンクサブフレームは、ダウンリンクサブフレームｍが前記第２のサブフレームセットに属する場合、ダウンリンクサブフレーム（ｍ＋８）も前記第２のサブフレームセットに属することを満たす、ステップ、
を有する請求項１又は２又は３に記載の協調送信方法。
【請求項５】
前記ＵＥにより、第２のサブフレームセット内のサブフレームで前記マイクロ基地局と通信するステップの前に、前記方法は、
前記ＵＥにより、前記第２のサブフレームセット内のアップリンクサブフレームを決定するステップであって、前記第２のサブフレームセット内の前記アップリンクサブフレームは、ダウンリンクサブフレームｍが前記第２のサブフレームセットに属する場合、アップリンクサブフレーム（ｍ＋４）も前記第２のサブフレームセットに属することを満たす、ステップ、
を更に有する請求項４に記載の協調送信方法。
【請求項６】
前記ＵＥにより、前記第１のサブフレームセット内のサブフレームで前記マクロ基地局と通信するステップは、以下の動作又はそれらの組み合わせのうちのいずれか１つを有する：
前記ＵＥにより、前記第１のサブフレームセット内のダウンリンクサブフレームで、前記マクロ基地局により送信されたＣＲＳ（cell-specific  RS）及び前記ＣＲＳに基づき復調されたチャネルを受信するステップと、
前記ＵＥにより、前記第１のサブフレームセット内のダウンリンクサブフレームで前記マクロ基地局により送信されたＰＳＳ（Primary  Synchronization  Signal）を受信するステップと、
前記ＵＥにより、前記第１のサブフレームセット内のダウンリンクサブフレームで前記マクロ基地局により送信されたＳＳＳ（Secondary  Synchronization  Signal）を受信するステップと、
前記ＵＥにより、前記第１のサブフレームセット内のダウンリンクサブフレームでＤＭＲＳ（Demodulation  Reference  Signal）に基づき復調され前記マクロ基地局により送信されたｅＰＤＣＣＨ（evolved  Physical  Downlink  Control  Channel）を受信するステップ、
請求項１乃至３のいずれか一項に記載の協調送信方法。
【請求項７】
前記ＵＥにより、第２のサブフレームセット内のサブフレームで前記マイクロ基地局と通信するステップは、以下の動作又はそれらの組合せのうちのいずれか１つを有する：
前記ＵＥにより、前記第２のサブフレームセット内のダウンリンクサブフレームで前記マイクロ基地局により送信されたＣＳＩ−ＲＳ（Channel  State  Information  Reference  Signal）を受信するステップと、
前記ＵＥにより、前記第２のサブフレームセット内のダウンリンクサブフレームで前記マイクロ基地局により送信されたＤＭＲＳ（Demodulation  Reference  Signal）及び前記ＤＭＲＳに基づき復調されたチャネルを受信するステップ、
請求項１又は４又は５に記載の協調送信方法。
【請求項８】
ユーザ機器であって、
第１のサブフレームセット内のサブフレームでマクロ基地局と通信するよう構成される第１の通信ユニットと、
第２のサブフレームセット内のサブフレームでマイクロ基地局と通信するよう構成される第２の通信ユニットと、
を有し、
前記第１のサブフレームセット内の前記サブフレーム及び前記第２のサブフレームセット内の前記サブフレームは重なり合わず、
前記ユーザ機器は、
前記マクロ基地局又は前記マイクロ基地局により送信された第１の相関関係を受信するよう構成される第１の受信ユニットであって、前記第１の相関関係は、前記第１のサブフレームセットに関連付けられた論理チャネルの識別子を有する、第１の受信ユニット、
を更に有し、
前記第１の通信ユニットは、前記第１の受信ユニットにより受信された前記第１の相関関係に従って前記第１のサブフレームセット内のアップリンクサブフレームで、前記第１の相関関係の中の前記論理チャネルに対応する無線ベアラ上でデータを前記マクロ基地局へ送信するよう構成される、
ユーザ機器。
【請求項９】
前記第１のサブフレームセット内のダウンリンクサブフレームを決定するよう構成される第１の決定ユニットであって、前記第１のサブフレームセット内の前記ダウンリンクサブフレームは、ダウンリンクサブフレームｎが前記第１のサブフレームセットに属する場合、ダウンリンクサブフレーム（ｎ＋８）も前記第１のサブフレームセットに属することを満たす、第１の決定ユニット、
を更に有する請求項８に記載のユーザ機器。
【請求項１０】
前記第１の決定ユニットは、前記第１のサブフレームセット内のアップリンクサブフレームを決定するよう更に構成され、前記第１のサブフレームセット内の前記アップリンクサブフレームは、ダウンリンクサブフレームｎが前記第１のサブフレームセットに属する場合、アップリンクサブフレーム（ｎ＋４）も前記第１のサブフレームセットに属することを満たす、請求項９に記載のユーザ機器。
【請求項１１】
前記第２のサブフレームセット内のダウンリンクサブフレームを決定するよう構成される第２の決定ユニットであって、前記第２のサブフレームセット内の前記ダウンリンクサブフレームは、ダウンリンクサブフレームｍが前記第２のサブフレームセットに属する場合、ダウンリンクサブフレーム（ｍ＋８）も前記第２のサブフレームセットに属することを満たす、第２の決定ユニット、
を更に有する請求項８又は９又は１０に記載のユーザ機器。
【請求項１２】
前記第２の決定ユニットは、前記第２のサブフレームセット内のアップリンクサブフレームを決定するよう更に構成され、前記第２のサブフレームセット内の前記アップリンクサブフレームは、ダウンリンクサブフレームｍが前記第２のサブフレームセットに属する場合、アップリンクサブフレーム（ｍ＋４）も前記第２のサブフレームセットに属することを満たす、請求項１１に記載のユーザ機器。
【請求項１３】
前記第１の通信ユニットは、以下の動作又はそれらの組合せのうちのいずれか１つを実行するよう構成される：
前記第１のサブフレームセット内のダウンリンクサブフレームで、前記マクロ基地局により送信されたＣＲＳ（cell-specific  RS）及び前記ＣＲＳに基づき復調されたチャネルを受信し、
前記第１のサブフレームセット内のダウンリンクサブフレームで、前記マクロ基地局により送信されたＰＳＳ（Primary  Synchronization  Signal）を受信し、
前記第１のサブフレームセット内のダウンリンクサブフレームで、前記マクロ基地局により送信されたＳＳＳ（Secondary  Synchronization  Signal）を受信し、
前記第１のサブフレームセット内のダウンリンクサブフレームで、ＤＭＲＳ（Demodulation  Reference  Signal）に基づき復調され前記マクロ基地局により送信されたｅＰＤＣＣＨ（evolved  Physical  Downlink  Control  Channel）を受信する、
請求項８又は９又は１０に記載のユーザ機器。
【請求項１４】
前記第２の通信ユニットは、以下の動作又はそれらの組合せのうちのいずれか１つを実行するよう構成されることを含む：
前記第２のサブフレームセット内のダウンリンクサブフレームで、前記マイクロ基地局により送信されたＣＳＩ−ＲＳ（Channel  State  Information  Reference  Signal）を受信し、
前記第２のサブフレームセット内のダウンリンクサブフレームで、前記マイクロ基地局により送信されたＤＭＲＳ（Demodulation  Reference  Signal）及び前記ＤＭＲＳに基づき復調されたチャネルを受信する、
請求項８又は１１又は１２に記載のユーザ機器。
【請求項１５】
前記マクロ基地局又は前記マイクロ基地局により送信された前記第１のサブフレームセットの構成及び／又は前記第２のサブフレームセットの構成を受信するよう構成され、したがって、前記第１のサブフレームセットと前記第２のサブフレームセットとの間で区別する、第３の受信ユニット、
を更に有する請求項８乃至１４のいずれか一項に記載のユーザ機器。
【請求項１６】
前記マクロ基地局又は前記マイクロ基地局により送信された第１の物理層パラメータ構成を受信するよう構成された第４の受信ユニット、
を更に有し、
前記第１の通信ユニットは、前記第１の物理層パラメータ構成に従って前記第１のサブフレームセット内の前記サブフレームで前記マクロ基地局と通信するよう構成される、請求項８乃至１５のいずれか一項に記載のユーザ機器。
【請求項１７】
前記第４の受信ユニットは、前記マクロ基地局又は前記マイクロ基地局により送信された第２の物理層パラメータ構成を受信するよう更に構成され、
前記第２の通信ユニットは、前記第２の物理層パラメータ構成に従って前記第２のサブフレームセット内の前記サブフレームで前記マイクロ基地局と通信するよう構成される、
請求項１６に記載のユーザ機器。
【請求項１８】
コンピュータに請求項１乃至７のいずれか一項に記載の方法を実行させるプログラム。
【発明の詳細な説明】
【技術分野】
【０００１】
本発明は、通信技術に関し、特に、協調送信方法及び装置に関する。
【背景技術】
【０００２】
ネットワークが広帯域及びモバイルアクセスに向かって発展している間、３ＧＰＰ（３rd  Generation  Partnership  Program）組織は、ＬＴＥ（Long  Term  Evolution）ソリューションをＲｅｌｅａｓｅ８で提案し、ＬＴＥ−Ａｄｂａｎｃｅｄ（Long  Term  Evolution−Advanced）ソリューションを後続のＲｅｌｅａｓｅ１０で提案で提案して、モバイルアクセスネットワークの特徴を解決する。協調マルチポイント（Coordinated  MultiPoint：ＣｏＭＰ）送信技術は、ＬＴＥ−Ａｄｖａｎｃｅｄに関する研究に主に焦点を当てている。現在、ＣｏＭＰ技術は、主に、４つのアプリケーションシナリオ（シナリオ）を有する。シナリオ１及びシナリオ２は、同種ネットワーク（Homnet）におけるマクロセル間の協調マルチポイント送信である。シナリオ３及びシナリオ４は、異種ネットワーク（Hetnet）におけるマクロセルとマイクロセルとの間の協調マルチポイント送信である。
【０００３】
ＣｏＭＰ送信技術では、異なる送信ソースが同じ情報を送信しても良い。例えば、異なる送信ソースは、同じＰＢＣＨ（Physical  broadcast  channel）又はＰＤＳＣＨ（Physical  downlink  shared  channel）を送信しても良い。あるいは、異なる送信ソースが整合した情報を送信しても良い。例えば、異なる送信ソースは、それぞれＰＤＣＣＨ及びＰＤＳＣＨ（Physical  downlink  shared  channel）を送信しても良い。これは、異なる送信ソースが同じユーザ機器（User  Equipment：ＵＥ）のコンテキストをリアルタイムに共有できることを必要とする。つまり、異なる送信ソースがＵＥのコンテキストの範囲内で互いに通信する必要がある。この場合、異なる送信ソース間の通信遅延は、マイクロ秒（μｓ）にまで低減されなければならない。しかしながら、現在、前述の遅延要件は、光ファイバ又は高速マイクロ波により異なる送信ソースを相互接続することによってのみ満たすことができる。周知のように、光ファイバ又は高速マイクロ波による相互接続の業務は高コストであり、ＣｏＭＰ送信技術の使用を阻害してしまう。
【発明の概要】
【発明が解決しようとする課題】
【０００４】
本発明の実施形態は、ＣｏＭＰ送信技術の適用が制限されるという問題を解決するために用いられる協調送信方法及び装置を提供する。
【課題を解決するための手段】
【０００５】
本発明の実施形態の第１の態様は、ユーザ機器ＵＥにより、第１のサブフレームセット内のサブフレームでマクロ基地局と通信するステップと、前記ＵＥにより、第２のサブフレームセット内のサブフレームでマイクロ基地局と通信するステップと、を有し、前記第１のサブフレームセット内の前記サブフレーム及び前記第２のサブフレームセット内の前記サブフレームは重なり合わない、協調送信方法を提供する。
【０００６】
第１の態様の任意の実装では、ユーザ機器ＵＥにより、第１のサブフレームセット内のサブフレームでマクロ基地局と通信するステップの前に、方法は、ＵＥにより、第１のサブフレームセット内のダウンリンクサブフレームを決定し、第１のサブフレームセット内のダウンリンクサブフレームは、ダウンリンクサブフレームｎが第１のサブフレームセットに属する場合、ダウンリンクサブフレーム（ｎ＋８）も第１のサブフレームセットに属することを満たす。
【０００７】
第１の態様の任意の実装では、ユーザ機器ＵＥにより、第１のサブフレームセット内のサブフレームでマクロ基地局と通信するステップの前に、方法は、ＵＥにより、第１のサブフレームセット内のアップリンクサブフレームを決定し、第１のサブフレームセット内のアップリンクサブフレームは、ダウンリンクサブフレームｎが第１のサブフレームセットに属する場合、アップリンクサブフレーム（ｎ＋４）も第１のサブフレームセットに属することを満たす。
【０００８】
第１の態様の任意の実装では、ＵＥにより、第２のサブフレームセット内のサブフレームでマイクロ基地局と通信する前に、方法は、ＵＥにより、第２のサブフレームセット内のダウンリンクサブフレームを決定し、第２のサブフレームセット内のダウンリンクサブフレームは、ダウンリンクサブフレームｍが第２のサブフレームセットに属する場合、ダウンリンクサブフレーム（ｍ＋８）も第２のサブフレームセットに属することを満たす。
【０００９】
第１の態様の任意の実装では、ＵＥにより、第２のサブフレームセット内のサブフレームでマイクロ基地局と通信する前に、方法は、ＵＥにより、第２のサブフレームセット内のアップリンクサブフレームを決定し、第２のサブフレームセット内のアップリンクサブフレームは、ダウンリンクサブフレームｍが第２のサブフレームセットに属する場合、アップリンクサブフレーム（ｍ＋４）も第２のサブフレームセットに属することを満たす。
【００１０】
第１の態様の任意の実装では、ＵＥは、第１のサブフレームセット内のダウンリンクサブフレームでマクロ基地局とダウンリンクで通信する。
【００１１】
第１の態様の任意の実装では、前記ＵＥにより、前記第１のサブフレームセット内の前記ダウンリンクサブフレームで前記マクロ基地局とダウンリンクで通信するステップは、以下の動作又はそれらの組合せのうちのいずれか１つを有する：前記ＵＥにより、前記第１のサブフレームセット内の前記ダウンリンクサブフレームで、前記マクロ基地局により送信されたＣＲＳ及び前記ＣＲＳに基づき復調されたチャネルを受信するステップと、前記ＵＥにより、前記第１のサブフレームセット内の前記ダウンリンクサブフレームで、前記マクロ基地局により送信されたＰＳＳを受信するステップと、前記ＵＥにより、前記第１のサブフレームセット内の前記ダウンリンクサブフレームで、前記マクロ基地局により送信されたＳＳＳを受信するステップと、前記ＵＥにより、前記第１のサブフレームセット内の前記ダウンリンクサブフレームで、ＤＭＲＳに基づき復調され前記マクロ基地局により送信されたｅＰＤＣＣＨを受信するステップ。
【００１２】
第１の態様の任意の実装では、ＵＥは、第１のサブフレームセット内のアップリンクサブフレームでマクロ基地局とアップリンクで通信する。
【００１３】
第１の態様の任意の実装では、ＵＥは、第１のサブフレームセット内のアップリンクサブフレームでマクロ基地局とアップリンクで通信するステップの前に、前記方法は、前記ＵＥにより、前記マクロ基地局又は前記マイクロ基地局により送信された第１の相関関係を受信するステップであって、前記第１の相関関係は前記第１のサブフレームセットに関連付けられた論理チャネルの識別子を有する、ステップ、を有し、前記ＵＥにより、前記第１のサブフレームセット内の前記サブフレームで前記マクロ基地局とアップリンクで通信するステップは、前記ＵＥにより、前記第１の相関関係に従う前記第１のサブフレームセット内の前記アップリンクサブフレームで前記アップリンクサブフレームで、前記第１の相関関係の中の前記論理チャネルの前記識別子に対応する無線ベアラ上でデータを前記マクロ基地局へ送信するステップ、を有する。
【００１４】
第１の態様の任意の実装では、ＵＥは、第２のサブフレームセット内のダウンリンクサブフレームでマイクロ基地局とダウンリンクで通信する。
【００１５】
第１の態様の任意の実装では、前記ＵＥにより、前記第２のサブフレームセット内の前記ダウンリンクサブフレームで前記マイクロ基地局とダウンリンクで通信するステップは、以下の動作又はそれらの組合せのうちのいずれか１つを有する：前記ＵＥにより、前記第２のサブフレームセット内の前記ダウンリンクサブフレームで前記マイクロ基地局により送信されたＣＳＩ−ＲＳを受信するステップと、前記ＵＥにより、前記第２のサブフレームセット内の前記ダウンリンクサブフレームで前記マイクロ基地局により送信されたＤＭＲＳ及び前記ＤＭＲＳに基づき復調されたチャネルを受信するステップ。
【００１６】
第１の態様の任意の実装では、ＵＥは、第２のサブフレームセット内のアップリンクサブフレームでマイクロ基地局とアップリンクで通信する。
【００１７】
第１の態様の任意の実装では、ＵＥは、第２のサブフレームセット内のアップリンクサブフレームでマイクロ基地局とアップリンクで通信するステップの前に、前記方法は、前記ＵＥにより、前記マクロ基地局又は前記マイクロ基地局により送信された第２の相関関係を受信するステップであって、前記第２の相関関係は前記第２のサブフレームセットに関連付けられた論理チャネルの識別子を有する、ステップ、を有し、前記ＵＥにより、前記第２のサブフレームセット内の前記サブフレームで前記マイクロ基地局とアップリンクで通信するステップは、前記ＵＥにより、前記第２の相関関係に従う前記第２のサブフレームセット内の前記アップリンクサブフレームで前記アップリンクサブフレームで、前記第２の相関関係の中の前記論理チャネルの前記識別子に対応する無線ベアラ上でデータを前記マイクロ基地局へ送信するステップ、を有する。
【００１８】
第１の態様の任意の実装では、前記ＵＥが前記第１のサブフレームセット内の前記サブフレームで前記マクロ基地局と通信し及び前記第２のサブフレームセット内の前記サブフレーム内のサブフレームで前記マイクロ基地局と通信する前に、前記方法は、前記ＵＥにより、前記マクロ基地局又は前記マイクロ基地局により送信された前記第１のサブフレームセットの構成及び／又は前記第２のサブフレームセットの構成を受信するステップであって、したがって前記第１のサブフレームセットと前記第２のサブフレームセットとの間で区別する、ステップ、を有する。
【００１９】
第１の態様の任意の実装では、マクロ基地局により、第１のサブフレームセット内のサブフレームでユーザ機器ＵＥと通信するステップの前に、前記方法は、前記ＵＥにより、前記マクロ基地局又は前記マイクロ基地局により送信された第１の物理層パラメータ構成を受信するステップ、を有し、ユーザ機器ＵＥにより、第１のサブフレームセット内のサブフレームでマクロ基地局と通信するステップは、前記ＵＥにより、前記第１の物理層パラメータ構成に従う前記第１のサブフレームセット内の前記サブフレームで前記マクロ基地局と通信するステップ、を有する。
【００２０】
第１の態様の任意の実装では、前記ＵＥにより、第２のサブフレームセット内のサブフレームでマイクロ基地局と通信するステップの前に、前記方法は、前記ＵＥにより、前記マクロ基地局又は前記マイクロ基地局により送信された第２の物理層パラメータ構成を受信するステップ、を有し、前記ＵＥにより、第２のサブフレームセット内のサブフレームでマイクロ基地局と通信するステップは、前記ＵＥにより、前記第２の物理層パラメータ構成に従う前記第２のサブフレームセット内の前記サブフレームで前記マイクロ基地局と通信するステップ、を有する。
【００２１】
本発明の実施形態の第２の態様は、マクロ基地局により、第１のサブフレームセット内のサブフレームでユーザ機器ＵＥと通信するステップ、を有し、前記ＵＥは、第２のサブフレームセット内のサブフレームでマイクロ基地局と通信し、を有し、前記第１のサブフレームセット内の前記サブフレーム及び前記第２のサブフレームセット内の前記サブフレームは重なり合わない、協調送信方法を提供する。
【００２２】
第２の態様の任意の実装では、マクロ基地局により、第１のサブフレームセット内のサブフレームでユーザ機器ＵＥと通信するステップの前に、前記方法は、前記マクロ基地局により、第１のサブフレームセット及び／又は第２のサブフレームセットを前記マイクロ基地局へ送信するステップであって、したがって、前記マイクロ基地局は前記第２のサブフレームセットを取得する、ステップ、を有する。
【００２３】
第２の態様の任意の実装では、マクロ基地局により、第１のサブフレームセット内のサブフレームでユーザ機器ＵＥと通信するステップの前に、前記方法は、前記マクロ基地局により、前記マクロ基地局により使用され前記ＵＥに対応するＨＡＲＱプロセス識別子セット及び／又は前記マイクロ基地局により使用され前記ＵＥに対応するＨＡＲＱプロセス識別子セットを前記マイクロ基地局へ送信するステップであって、したがって、前記マイクロ基地局は前記マイクロ基地局により使用され前記ＵＥに対応する前記ＨＡＲＱプロセス識別子セットを取得する、ステップ、を有する。
【００２４】
第２の態様の任意の実装では、マクロ基地局により、第１のサブフレームセット内のサブフレームでユーザ機器ＵＥと通信するステップの前に、前記方法は、前記マクロ基地局により、それぞれ前記第１のサブフレームセット及び前記第２のサブフレームセットに対応する第１の物理層パラメータ構成及び第２の物理層パラメータ構成を前記ＵＥへ送信するステップ、を有する。
【００２５】
第２の態様の任意の実装では、前記マクロ基地局により、それぞれ前記第１のサブフレームセット及び前記第２のサブフレームセットに対応する第１の物理層パラメータ構成及び第２の物理層パラメータ構成を前記ＵＥへ送信するステップの前に、前記方法は、前記マクロ基地局により、前記第１の物理層パラメータ構成を決定するステップと、前記マイクロ基地局により送信された前記第２の物理層パラメータ構成を受信するステップと、を有する。
【００２６】
第２の態様の任意の実装では、前記マクロ基地局により、それぞれ前記第１のサブフレームセット及び前記第２のサブフレームセットに対応する第１の物理層パラメータ構成及び第２の物理層パラメータ構成を前記ＵＥへ送信するステップの前に、前記方法は、前記マクロ基地局により、前記第１の物理層パラメータ構成及び前記第２の物理層パラメータ構成を別個に決定するステップ、を有し、前記協調送信方法は、前記マクロ基地局により、前記第２の物理層パラメータ構成を前記マイクロ基地局へ送信するステップ、を更に有する。
【００２７】
第２の態様の任意の実装では、前記マクロ基地局は、前記第１のサブフレームセット内の前記ダウンリンクサブフレームで前記ＵＥとダウンリンクで通信する。
【００２８】
第２の態様の任意の実装では、前記マクロ基地局により、前記第１のサブフレームセット内の前記ダウンリンクサブフレームで前記ＵＥとダウンリンクで通信するステップは、以下の動作又はそれらの組み合わせのうちのいずれか１つを有する：前記マクロ基地局により、前記第１のサブフレームセット内の前記ダウンリンクサブフレームで、ＣＲＳ及び前記ＣＲＳに基づき復調されたチャネルを前記ＵＥへ送信するステップと、前記マクロ基地局により、前記第１のサブフレームセット内の前記ダウンリンクサブフレームでＰＳＳを前記ＵＥへ送信するステップと、前記マクロ基地局により、前記第１のサブフレームセット内の前記ダウンリンクサブフレームでＳＳＳを前記ＵＥへ送信するステップと、前記マクロ基地局により、前記第１のサブフレームセット内の前記ダウンリンクサブフレームでＤＭＲＳに基づき復調されたｅＰＤＣＣＨをＵＥへ送信するステップ。
【００２９】
第２の態様の任意の実装では、前記マクロ基地局は、前記第１のサブフレームセット内のアップリンクサブフレームで前記ＵＥとアップリンクで通信する。
【００３０】
第２の態様の任意の実装では、前記マクロ基地局が、前記第１のサブフレームセット内のアップリンクサブフレームで前記ＵＥとアップリンクで通信する前に、前記方法は、前記マクロ基地局により、第１の相関関係を前記ＵＥへ送信するステップであって、前記第１の相関関係は、前記第１のサブフレームセットに関連付けられた論理チャネルの識別子を有する、ステップ、を有し、前記マクロ基地局により、前記第１のサブフレームセット内のアップリンクサブフレームで前記ＵＥとアップリンクで通信するステップは、前記マクロ基地局により、前記第１のサブフレームセット内の前記アップリンクサブフレームで前記ＵＥにより送信された、前記第１の相関関係の中の前記論理チャネルの前記識別子に対応する無線ベアラ上のデータを受信するステップ、を有する。
【００３１】
第２の態様の任意の実装では、前記方法は、マクロ基地局により、第２の相関関係を前記ＵＥへ送信するステップを更に有し、前記第２の相関関係は、前記第２のサブフレームセットに関連付けられた論理チャネルの識別子を有し、したがって、前記ＵＥは、前記第２のサブフレームセット内の前記アップリンクサブフレームで、前記第２の相関関係の中の前記論理チャネルの前記識別子に対応する無線ベアラ上でデータをマイクロ基地局へ送信する。
【００３２】
第２の態様の任意の実装では、マクロ基地局により、第１のサブフレームセット内のサブフレームでユーザ機器ＵＥと通信するステップの前に、前記方法は、前記マクロ基地局により、前記第１のサブフレームセットの構成及び／又は前記第２のサブフレームセットの構成を前記ＵＥへ送信するステップであって、したがって、前記ＵＥは前記第１のサブフレームセットと前記第２のサブフレームセットとの間で区別する、ステップ、を有する。
【００３３】
本発明の実施形態の第３の態様は、マイクロ基地局により、第２のサブフレームセット内のサブフレームでユーザ機器ＵＥと通信するステップ、を有し、前記ＵＥは、第１のサブフレームセット内のサブフレームでマクロ基地局と更に通信し、前記第１のサブフレームセット内の前記サブフレーム及び前記第２のサブフレームセット内の前記サブフレームは重なり合わない、協調送信方法を提供する。
【００３４】
第３の態様の任意の実装では、マイクロ基地局により、第２のサブフレームセット内のサブフレームでユーザ機器ＵＥと通信するステップの前に、前記方法は、前記マイクロ基地局により、前記マクロ基地局により送信された前記第１のサブフレームセット及び／又は前記第２のサブフレームセットを受信するステップであって、したがって、前記第２のサブフレームセットを取得する、ステップ、を有する。
【００３５】
第３の態様の任意の実装では、マイクロ基地局により、第２のサブフレームセット内のサブフレームでユーザ機器ＵＥと通信するステップの前に、前記方法は、前記マイクロ基地局により、前記マクロ基地局により送信された前記マクロ基地局により使用され前記ＵＥに対応するＨＡＲＱプロセス識別子セット及び／又は前記マイクロ基地局により使用され前記ＵＥに対応するＨＡＲＱプロセス識別子セットを受信するステップであって、したがって、前記マイクロ基地局により使用され前記ＵＥに対応する前記ＨＡＲＱプロセス識別子セットを取得する、ステップ、を有する。
【００３６】
第３の態様の任意の実装では、マイクロ基地局により、第２のサブフレームセット内のサブフレームでユーザ機器ＵＥと通信するステップの前に、前記方法は、前記マイクロ基地局により、それぞれ前記第１のサブフレームセット及び前記第２のサブフレームセットに対応する第１の物理層パラメータ構成及び第２の物理層パラメータ構成を前記ＵＥへ送信するステップ、を有する。
【００３７】
第３の態様の任意の実装では、前記マイクロ基地局により、それぞれ前記第１のサブフレームセット及び前記第２のサブフレームセットに対応する第１の物理層パラメータ構成及び第２の物理層パラメータ構成を前記ＵＥへ送信するステップの前に、前記方法は、前記マイクロ基地局により、前記第２の物理層パラメータ構成を決定するステップと、前記マクロ基地局により送信された前記第１の物理層パラメータ構成を受信するステップと、を有する。
【００３８】
第３の態様の任意の実装では、前記マクロ基地局により、それぞれ前記第１のサブフレームセット及び前記第２のサブフレームセットに対応する第１の物理層パラメータ構成及び第２の物理層パラメータ構成を前記ＵＥへ送信するステップの前に、前記方法は、前記マイクロ基地局により、前記第１の物理層パラメータ構成及び前記第２の物理層パラメータ構成を別個に決定するステップ、を有し、前記協調送信方法は、前記マイクロ基地局により、前記第１の物理層パラメータ構成を前記マクロ基地局へ送信するステップ、を更に有する。
【００３９】
第３の態様の任意の実装では、前記マイクロ基地局は、前記第２のサブフレームセット内のダウンリンクサブフレームで前記ＵＥとダウンリンクで通信する。
【００４０】
第３の態様の任意の実装では、前記マイクロ基地局により、前記第２のサブフレームセット内のダウンリンクサブフレームで前記ＵＥとダウンリンクで通信するステップは、以下の動作又はそれらの組合せのうちのいずれか１つを有する：前記マイクロ基地局により、前記第２のサブフレームセット内の前記ダウンリンクサブフレームでＣＳＩ−ＲＳを前記ＵＥへ送信するステップと、前記マイクロ基地局により、前記第２のサブフレームセット内の前記ダウンリンクサブフレームでＤＭＲＳ及び前記ＤＭＲＳに基づき復調されたチャネルを前記ＵＥへ送信するステップ。
【００４１】
第３の態様の任意の実装では、前記マイクロ基地局は、前記第２のサブフレームセット内のアップリンクサブフレームで前記ＵＥとアップリンクで通信する。
【００４２】
第３の態様の任意の実装では、前記マイクロ基地局が、前記第２のサブフレームセット内のアップリンクサブフレームで前記ＵＥとアップリンクで通信する前に、前記方法は、前記マイクロ基地局により、第２の相関関係を前記ＵＥへ送信するステップであって、前記第２の相関関係は、前記第２のサブフレームセットに関連付けられた論理チャネルの識別子を有する、ステップ、を有し、前記マイクロ基地局により、前記第２のサブフレームセット内のアップリンクサブフレームで前記ＵＥとアップリンクで通信するステップは、前記マイクロ基地局により、前記第２のサブフレームセット内の前記アップリンクサブフレームで前記ＵＥにより送信された、前記第２の相関関係の中の前記論理チャネルの前記識別子に対応する無線ベアラ上のデータを受信するステップ、を有する。
【００４３】
第３の態様の任意の実装では、前記方法は、前記マイクロ基地局により、第１の相関関係を前記ＵＥへ送信するステップを更に有し、前記第１の相関関係は、前記第１のサブフレームセットに関連付けられた論理チャネルの識別子を有し、したがって、前記ＵＥは、前記第１のサブフレームセット内の前記アップリンクサブフレームで、前記第１の相関関係の中の前記論理チャネルの前記識別子に対応する無線ベアラ上でデータをマクロ基地局へ送信する。
【００４４】
第３の態様の任意の実装では、マイクロ基地局により、第２のサブフレームセット内のサブフレームでユーザ機器ＵＥと通信するステップの前に、前記方法は、前記マイクロ基地局により、前記第１のサブフレームセットの構成及び／又は前記第２のサブフレームセットの構成を前記ＵＥへ送信するステップであって、したがって、前記ＵＥは前記第１のサブフレームセットと前記第２のサブフレームセットとの間で区別する、ステップ、を有する。
【００４５】
本発明の実施形態の第４の態様は、第１のサブフレームセット内のサブフレームでマクロ基地局と通信するよう構成される第１の通信ユニットと、第２のサブフレームセット内のサブフレームでマイクロ基地局と通信するよう構成される第２の通信ユニットと、を有し、前記第１のサブフレームセット内の前記サブフレーム及び前記第２のサブフレームセット内の前記サブフレームは重なり合わない、ユーザ機器を提供する。
【００４６】
第４の態様の任意の実装では、前記ユーザ機器は、前記第１のサブフレームセット内のダウンリンクサブフレームを決定するよう構成される第１の決定ユニットであって、前記第１のサブフレームセット内の前記ダウンリンクサブフレームは、ダウンリンクサブフレームｎが前記第１のサブフレームセットに属する場合、ダウンリンクサブフレーム（ｎ＋８）も前記第１のサブフレームセットに属することを満たす、第１の決定ユニット、を更に有する。
【００４７】
第４の態様の任意の実装では、前記第１の決定ユニットは、前記第１のサブフレームセット内のアップリンクサブフレームを決定するよう更に構成され、前記第１のサブフレームセット内の前記アップリンクサブフレームは、ダウンリンクサブフレームｎが前記第１のサブフレームセットに属する場合、アップリンクサブフレーム（ｎ＋４）も前記第１のサブフレームセットに属することを満たす。
【００４８】
第４の態様の任意の実装では、前記ユーザ機器は、前記第２のサブフレームセット内のダウンリンクサブフレームを決定するよう構成される第２の決定ユニットであって、前記第２のサブフレームセット内の前記ダウンリンクサブフレームは、ダウンリンクサブフレームｍが前記第２のサブフレームセットに属する場合、ダウンリンクサブフレーム（ｍ＋８）も前記第２のサブフレームセットに属することを満たす、第１の決定ユニット、を更に有する。
【００４９】
第４の態様の任意の実装では、前記第２の決定ユニットは、前記第２のサブフレームセット内のアップリンクサブフレームを決定するよう更に構成され、前記第２のサブフレームセット内の前記アップリンクサブフレームは、ダウンリンクサブフレームｍが前記第１のサブフレームセットに属する場合、アップリンクサブフレーム（ｍ＋４）も前記第２のサブフレームセットに属することを満たす。
【００５０】
第４の態様の任意の実装では、前記第１の通信ユニットは、具体的には、前記第１のサブフレームセット内の前記ダウンリンクサブフレームで前記マクロ基地局とダウンリンクで通信するよう構成される。
【００５１】
第４の態様の任意の実装では、前記第１の通信ユニットは、前記第１のサブフレームセット内の前記ダウンリンクサブフレームで前記マクロ基地局とダウンリンクで通信することは、前記第１の通信ユニットは、具体的には、以下の動作又はそれらの組合せのうちのいずれか１つを実行するよう構成される：前記第１の通信ユニットは、具体的には、前記第１のサブフレームセット内の前記ダウンリンクサブフレームで、前記マクロ基地局により送信されたＣＲＳ及び前記ＣＲＳに基づき復調されたチャネルを受信するよう構成され、前記第１の通信ユニットは、具体的には、前記第１のサブフレームセット内の前記ダウンリンクサブフレームで、前記マクロ基地局により送信されたＰＳＳを受信するよう構成され、前記第１の通信ユニットは、具体的には、前記第１のサブフレームセット内の前記ダウンリンクサブフレームで、前記マクロ基地局により送信されたＳＳＳを受信するよう構成され、前記第１の通信ユニットは、具体的には、前記第１のサブフレームセット内の前記ダウンリンクサブフレームで、ＤＭＲＳに基づき復調され前記マクロ基地局により送信されたｅＰＤＣＣＨを受信するよう構成される。
【００５２】
第４の態様の任意の実装では、前記第１の通信ユニットは、具体的には、前記第１のサブフレームセット内の前記アップリンクサブフレームで前記マクロ基地局とアップリンクで通信するよう構成される。
【００５３】
第４の態様の任意の実装では、前記ユーザ機器は、前記マクロ基地局又は前記マイクロ基地局により送信された第１の相関関係を受信するよう構成される第１の受信ユニットであって、前記第１の相関関係は、前記第１のサブフレームセットに関連付けられた論理チャネルの識別子を有する、第１の受信ユニット、を更に有し、前記第１の受信ユニットは、具体的には、前記第１の受信ユニットにより受信された前記第１の相関関係に従って前記第１のサブフレームセット内の前記アップリンクサブフレームで、前記第１の相関関係の中の前記論理チャネルに対応する無線ベアラ上でデータを前記マクロ基地局へ送信するよう構成される。
【００５４】
第４の態様の任意の実装では、前記第２の通信ユニットは、具体的には、前記第２のサブフレームセット内の前記ダウンリンクサブフレームで前記マイクロ基地局とダウンリンクで通信するよう構成される。
【００５５】
第４の態様の任意の実装では、前記第２の通信ユニットは、具体的には、前記第２のサブフレームセット内のダウンリンクサブフレームでマイクロ基地局とダウンリンクで通信するよう構成されることは、前記第２の通信ユニットは、具体的には、以下の動作又はそれらの組合せのうちのいずれか１つを実行するよう構成されることを含む：前記第２の通信ユニットは、具体的には、前記第２のサブフレームセット内の前記ダウンリンクサブフレームで、前記マイクロ基地局により送信されたＣＳＩ−ＲＳを受信するよう構成され、前記第２の通信ユニットは、具体的には、前記第２のサブフレームセット内の前記ダウンリンクサブフレームで、前記マイクロ基地局により送信されたＤＭＲＳ及び前記ＤＭＲＳに基づき復調されたチャネルを受信するよう構成される。
【００５６】
第４の態様の任意の実装では、前記第２の通信ユニットは、具体的には、前記第２のサブフレームセット内の前記アップリンクサブフレームで前記マイクロ基地局とアップリンクで通信するよう構成される。
【００５７】
第４の態様の任意の実装では、前記ユーザ機器は、前記マクロ基地局又は前記マイクロ基地局により送信された第２の相関関係を受信するよう構成される第２の受信ユニットであって、前記第２の相関関係は、前記第２のサブフレームセットに関連付けられた論理チャネルの識別子を有する、第２の受信ユニット、を更に有し、前記第２の通信ユニットは、具体的には、前記第２の相関関係に従う前記第２のサブフレームセット内の前記アップリンクサブフレームで、前記第２の相関関の中の前記論理チャネルの前記識別子に対応する無線ベアラ上でデータを前記マイクロ基地局へ送信するよう構成される。
【００５８】
第４の態様の任意の実装では、前記ユーザ機器は、前記マクロ基地局又は前記マイクロ基地局により送信された前記第１のサブフレームセットの構成及び／又は前記第２のサブフレームセットの構成を受信するよう構成され、したがって、前記第１のサブフレームセットと前記第２のサブフレームセットとの間で区別する、第３の受信ユニット、を更に有する。
【００５９】
第４の態様の任意の実装では、前記ユーザ機器は、前記マクロ基地局又は前記マイクロ基地局により送信された第１の物理層パラメータ構成を受信するよう構成された第４の受信ユニットを更に有し、前記第１の通信ユニットは、具体的には、前記第１の物理層パラメータ構成に従って前記第１のサブフレームセット内の前記サブフレームで前記マクロ基地局と通信するよう構成される。
【００６０】
第４の態様の任意の実装では、前記第４の受信ユニットは、前記マクロ基地局又は前記マイクロ基地局により送信された第２の物理層パラメータ構成を受信するよう更に構成され、前記第２の通信ユニットは、具体的には、前記第２の物理層パラメータ構成に従って前記第２のサブフレームセット内の前記サブフレームで前記マイクロ基地局と通信するよう構成される。
【００６１】
本発明の実施形態の第５の態様は、第１のサブフレームセット内のサブフレームでユーザ機器ＵＥと通信するよう構成される第３の通信ユニット、を有し、前記ＵＥは、第２のサブフレームセット内のサブフレームでマイクロ基地局と更に通信し、前記第１のサブフレームセット内の前記サブフレーム及び前記第２のサブフレームセット内の前記サブフレームは重なり合わない、マクロ基地局を提供する。
【００６２】
第５の態様の任意の実装では、前記マクロ基地局は、前記第３の送信ユニットが前記第１の物理層パラメータ構成及び前記第２の物理層パラメータ構成を前記ＵＥへ送信する前に、前記第１の物理層パラメータ構成及び前記第２の物理層パラメータ構成を別個に決定するよう構成される第２の取得ユニット、を更に有し、前記第３の送信ユニットは、前記第２の物理層パラメータ構成を前記マイクロ基地局へ送信するよう更に構成される。
【００６３】
第５の態様の任意の実装では、前記第３の通信ユニットは、具体的には、前記第１のサブフレームセット内のダウンリンクサブフレームで前記ＵＥとダウンリンクで通信するよう構成される。
【００６４】
第５の態様の任意の実装では、前記第３の通信ユニットは、具体的には、前記第１のサブフレームセット内の前記ダウンリンクサブフレームで前記ＵＥとダウンリンクで通信するよう構成されることは、前記第３の通信ユニットは、具体的には、以下の動作又はそれらの組合せのうちのいずれか１つを実行するよう構成される：前記第３の通信ユニットは、具体的には、前記第１のサブフレームセット内の前記ダウンリンクサブフレームで、ＣＲＳ及びＣＲＳに基づき復調されたチャネルをＵＥへ送信するよう構成され、前記第３の通信ユニットは、具体的には、前記第１のサブフレームセット内の前記ダウンリンクサブフレームで、ＰＳＳを前記ＵＥへ送信するよう構成され、前記第３の通信ユニットは、具体的には、前記第１のサブフレームセット内の前記ダウンリンクサブフレームで、ＳＳＳをＵＥへ送信するよう構成され、前記第３の通信ユニットは、具体的には、前記第１のサブフレームセット内の前記ダウンリンクサブフレームで、ＤＭＲＳに基づき復調されたｅＰＤＣＣＨを前記ＵＥへ送信するよう構成される。
【００６５】
第５の態様の任意の実装では、前記第３の通信ユニットは、具体的には、前記第１のサブフレームセット内のアップリンクサブフレームで前記ＵＥとアップリンクで通信するよう構成される。
【００６６】
第５の態様の任意の実装では、前記マクロ基地局は、第１の相関関係を前記ＵＥへ送信するよう構成される第４の送信ユニットであって、前記第１の相関関係は、前記第１のサブフレームセットに関連付けられた論理チャネルの識別子を有する、第４の送信ユニット、を更に有し、前記第３の通信ユニットは、具体的には、前記第１のサブフレームセット内の前記アップリンクサブフレームで、前記ＵＥにより送信された、前記第１の相関関係の中の前記論理チャネルの前記識別子に対応する無線ベアラ上のデータを受信するよう構成される。
【００６７】
第５の態様の任意の実装では、前記第４の送信ユニットは、第２の相関関係を前記ＵＥへ送信するよう更に構成され、前記第２の相関関係は、前記第２のサブフレームセットに関連付けられた論理チャネルの識別子を有し、したがって、前記ＵＥは、前記第２のサブフレームセット内の前記アップリンクサブフレームで、前記第２の相関関係の中の前記論理チャネルの前記識別子に対応する無線ベアラ上でデータを前記マイクロ基地局へ送信する。
【００６８】
第５の態様の任意の実装では、前記マクロ基地局は、第５の送信ユニットを更に有し、前記第５の送信ユニットは、前記第３の通信ユニットが前記第１のサブフレームセット内の前記サブフレームで前記ＵＥと通信する前に、前記第１のサブフレームセットの構成及び／又は前記第２のサブフレームセットの構成を前記ＵＥへ送信するよう構成され、したがって、前記ＵＥは、前記第１のサブフレームセットと前記第２のサブフレームセットとの間で区別できる。
【００６９】
本発明の実施形態の第６の態様は、第２のサブフレームセット内のサブフレームでユーザ機器ＵＥと通信するよう構成される第４の通信ユニット、を有し、前記ＵＥは、第１のサブフレームセット内のサブフレームでマクロ基地局と更に通信し、前記第１のサブフレームセット内の前記サブフレーム及び前記第２のサブフレームセット内の前記サブフレームは重なり合わない、マイクロ基地局を提供する。
【００７０】
第６の態様の任意の実装では、前記マイクロ基地局は、前記マクロ基地局により送信された前記第１のサブフレームセット及び／又は前記第２のサブフレームセットを受信するよう構成され、したがって、前記第２のサブフレームセットを取得する、第５の受信ユニット、を更に有する。
【００７１】
第６の態様の任意の実装では、前記マイクロ基地局は、前記マクロ基地局により送信された前記マクロ基地局により使用され前記ＵＥに対応するＨＡＲＱプロセス識別子セット及び／又は前記マイクロ基地局により使用され前記ＵＥに対応するＨＡＲＱプロセス識別子セットを受信するよう構成され、したがって、前記マイクロ基地局により使用され前記ＵＥに対応する前記ＨＡＲＱプロセス識別子セットを取得する、第６の受信ユニット、を更に有する。
【００７２】
第６の態様の任意の実装では、前記マイクロ基地局は、それぞれ前記第１のサブフレームセット及び前記第２のサブフレームセットに対応する第１の物理層パラメータ構成及び第２の物理層パラメータ構成を前記ＵＥへ送信するよう構成される第６の送信ユニットを更に有する。
【００７３】
第６の態様の任意の実装では、前記マイクロ基地局は、前記第６の送信ユニットが前記第１の物理層パラメータ構成及び前記第２の物理層パラメータ構成を前記ＵＥへ送信する前に、前記第２の物理層パラメータ構成を決定し、前記マクロ基地局により送信された前記第１の物理層パラメータ構成を受信するよう構成される第３の取得ユニットを更に有する。
【００７４】
第６の態様の任意の実装では、前記マイクロ基地局は、前記第６の送信ユニットが前記第１の物理層パラメータ構成及び前記第２の物理層パラメータ構成を前記ＵＥへ送信する前に、前記第１の物理層パラメータ構成及び前記第２の物理層パラメータ構成を別個に決定するよう構成される第４の取得ユニット、を更に有し、前記第６の送信ユニットは、前記第１の物理層パラメータ構成を前記マクロ基地局へ送信するよう更に構成される。
【００７５】
第６の態様の任意の実装では、前記第４の通信ユニットは、具体的には、前記第２のサブフレームセット内のダウンリンクサブフレームで前記ＵＥとダウンリンクで通信するよう構成される。
【００７６】
第６の態様の任意の実装では、前記第４の通信ユニットは、具体的には、前記第２のサブフレームセット内のダウンリンクサブフレームで前記ＵＥとダウンリンクで通信するよう構成されることは、前記第４の通信ユニットは、具体的には、以下の動作又はそれらの組合せのうちのいずれか１つを実行するよう構成されることを含む：前記第４の通信ユニットは、具体的には、前記第２のサブフレームセット内の前記ダウンリンクサブフレームで、ＣＳＩ−ＲＳを前記ＵＥへ送信するよう構成され、前記第４の通信ユニットは、具体的には、前記第２のサブフレームセット内の前記ダウンリンクサブフレームで、ＤＭＲＳ及び前記ＤＭＲＳに基づき復調されたチャネルを前記ＵＥへ送信するよう構成される。
【００７７】
第６の態様の任意の実装では、前記第４の通信ユニットは、具体的には、前記第２のサブフレームセット内のアップリンクサブフレームで前記ＵＥとアップリンクで通信するよう構成される。
【００７８】
第６の態様の任意の実装では、前記マイクロ基地局は、第２の相関関係を前記ＵＥへ送信するよう構成される第７の送信ユニットであって、前記第２の相関関係は、前記第２のサブフレームセットに関連付けられた論理チャネルの識別子を有する、第４の送信ユニット、を更に有し、前記第４の通信ユニットは、具体的には、前記第２のサブフレームセット内の前記アップリンクサブフレームで、前記ＵＥにより送信された、前記第２の相関関係の中の前記論理チャネルの前記識別子に対応する無線ベアラ上のデータを受信するよう構成される。
【００７９】
第６の態様の任意の実装では、前記第７の送信ユニットは、第１の相関関係を前記ＵＥへ送信するよう更に構成され、前記第１の相関関係は、前記第１のサブフレームセットに関連付けられた論理チャネルの識別子を有し、したがって、前記ＵＥは、前記第１のサブフレームセット内の前記アップリンクサブフレームで、前記第１の相関関係の中の前記論理チャネルの前記識別子に対応する無線ベアラ上でデータを前記マクロ基地局へ送信する。
【００８０】
第６の態様の任意の実装では、前記マイクロ基地局は、前記第４の通信ユニットが前記第２のサブフレームセット内の前記サブフレームで前記ＵＥと通信する前に、前記第１のサブフレームセットの構成及び／又は前記第２のサブフレームセットの構成を前記ＵＥへ送信するよう構成され、したがって、前記ＵＥは、前記第１のサブフレームセットと前記第２のサブフレームセットとの間で区別できる、第８の送信ユニットを更に有する。
【００８１】
本発明の本実施形態による協調送信方法及び装置は、ＵＥがマクロ基地局及びマイクロ基地局と時分割多重方法で別個に通信する。したがって、マクロ基地局及びマイクロ基地局は、ＵＥのコンテキストをリアルタイムに共有する必要がなく、送信ソース間の通信遅延に関する要件を減ずる。このように、マクロ基地局とマイクロ基地局との間の相互接続はもはや制限されないので、協調送信技術の適用シナリオ及び範囲を拡張する。
【図面の簡単な説明】
【００８２】
本発明の実施形態の又は従来技術の技術的解決策をより明確に説明するために、実施形態又は従来技術の説明に必要な図面が以下の通り導入される。明らかなことに、以下の説明中の添付の図面は、本発明の一部の実施形態であり、これらの図面に従って当業者により創造的労力を有しないで他の図面も得られる。
【図１Ａ】本発明の一実施形態で説明される第１のサブフレームセット内のアップリンク及びダウンリンクサブフレームである。
【図１Ｂ】本発明の一実施形態で説明される第１のサブフレームセット内のアップリンク及びダウンリンクサブフレームである。
【図２】本発明の一実施形態によるＵＥと異なる基地局（マクロ基地局及びマイクロ基地局）との間のＵＥについての異なるＲＢデータを送信する概略図である。
【図３】本発明の一実施形態によるＵＥの概略的構造図である。
【図４】本発明の別の実施形態によるＵＥの概略的構造図である。
【図５】本発明の一実施形態によるマクロ基地局の概略的構造図である。
【図６】本発明の一実施形態によるマイクロ基地局の概略的構造図である。
【発明を実施するための形態】
【００８３】
本発明の目的、技術的解決策、及び利点を明確にするために、以下に、本発明の実施形態における技術的解決策を本発明の実施形態における添付の図面を参照して明確且つ完全に記載する。明らかに、記載される実施形態は、本発明の実施形態の一部であり、全ての実施形態ではない。本発明の実施形態に基づき創造的労力を有しないで当業者により得られる全ての他の実施形態は、本発明の保護範囲に包含される。
【００８４】
ＣｏＭＰ送信技術は多くの利点を示す。しかしながら、従来、異なる送信ソースによる同じＵＥのコンテキストをリアルタイムに共有するのに、異なる送信ソース間の通信遅延が十分に小さくなることを保証するために、異なる送信ソースは光ファイバ又は高速マイクロ波により相互接続される必要があった。光ファイバ又は高速マイクロ波による相互接続の業務は高コストであり実装が困難であり、その結果、ＣｏＭＰ送信技術の使用を阻害してしまう。ＣｏＭＰ送信技術の使用におけるボトルネックを打開するために、本発明の実施形態は、ＣｏＭＰ送信技術の利点を完全に利用する協調送信方法を提供する。
【００８５】
本発明の一実施形態は、ＵＥにより第１のサブフレームセット内のサブフレームでマクロ基地局との通信を通信するステップと、前記ＵＥにより第２のサブフレームセット内のサブフレームでマイクロ基地局と通信するステップと、を有し、前記第１のサブフレームセット及び前記第２のサブフレームセット内の前記サブフレームは重なり合わず、前記ＵＥが前記マクロ基地局及び前記マイクロ基地局と時分割多重法で別個に通信することを意味する、協調送信方法を提供する。
【００８６】
本発明の本実施形態による方法は、異種ネットワークに適用されても良く、マクロ基地局のカバレッジとマイクロ基地局のカバレッジとが重なり合う同種ネットワークにおけるシナリオに適用されても良い。より具体的には、本実施形態のＵＥは、マクロ基地局のカバレッジとマイクロ基地局のカバレッジの両方に位置し、ＵＥがマクロ基地局のカバレッジ又はマイクロ基地局のカバレッジのみにいるときに用いられる通信方法と異なる並びにＵＥがマクロ基地局のカバレッジ及びマイクロ基地局のカバレッジの両方にいるときに用いられる通信方法とも異なる時分割多重方法でマクロ基地局及びマイクロ基地局と別個に通信し、しかし、マクロ基地局及びマイクロ基地局はＵＥに同時に同じ制御信号を送信し、ＵＥは２つの制御信号を結合する。本実施形態のマイクロ基地局は、ＣｏＭＰの第４のアプリケーションシナリオにおける基地局（ｅＮＢ）であっても良いが、これに限定されない。本実施形態のマイクロ基地局は、ＣｏＭＰの第４のシナリオでは、ＲＲＨ（Remote  Radio  Head）のような低電力ノード（Low  Power  Node：ＬＰＮ）であっても良い。
【００８７】
本実施形態では、ＵＥは、マクロ基地局及びマイクロ基地局と時分割多重方法で別個に通信し、ＵＥのコンテキストは、マクロ基地局及びマイクロ基地局で別個に生成される。したがって、マクロ基地局及びマイクロ基地局は、ＵＥのコンテキストをリアルタイムに共有する必要がなく、マクロ基地局とマイクロ基地局との間のバックホールリンクの通信遅延についての要件を減らす。このように、マクロ基地局及びマイクロ基地局は、光ファイバ又は高速マイクロ波により相互接続される必要がない。本実施形態による協調送信方法は、もはやマクロ基地局及びマイクロ基地局が相互接続される方法により妨げられず、広範な用途範囲に適用でき、協調送信技術を完全に活用できる。
【００８８】
本実施形態の任意の実装では、第１のサブフレームセット内のサブフレームでＵＥによりマクロ基地局と通信し、及び第２のサブフレームセット内のサブフレームでＵＥによりマイクロ基地局と通信する前に、方法は、マクロ基地局又はマイクロ基地局により送信された第１のサブフレームセットの構成及び／又は第２のサブフレームセットの構成を、ＵＥにより受信し、第１のサブフレームセット及び第２のサブフレームセットを決定するようにする。
【００８９】
ＵＥは、第１のサブフレームセットの構成に従って、どのサブフレームが第１のサブフレームセットに属するかを決定し、同時に、どのサブフレームが第２のサブフレームセットに属するかを決定しても良い。代替で、ＵＥは、第２のサブフレームセットの構成に従って、どのサブフレームが第２のサブフレームセットに属するかを決定し、同時に、どのサブフレームが第１のサブフレームセットに属するかを決定しても良い。代替で、ＵＥは、第１のサブフレームセットの構成に従って、どのサブフレームが第１のサブフレームセットに属するかを決定し、第２のサブフレームセットの構成に従って、どのサブフレームが第２のサブフレームセットに属するかを決定しても良い。
【００９０】
前述の第１のサブフレームセットの構成及び／又は第２のサブフレームセットの構成がマクロ基地局により又はマイクロ基地局によりＵＥに送信されるかは、ＵＥのＳＲＢ（Signaling  Radio  Bearer）がどこに接続されるかに依存する。ＵＥのＳＲＢがマクロ基地局に接続される場合、前述の第１のサブフレームセットの構成及び／又は第２のサブフレームセットの構成は、マクロ基地局によりＵＥのために生成され構成される。ＵＥのＳＲＢがマイクロ基地局に接続される場合、前述の第１のサブフレームセットの構成及び／又は第２のサブフレームセットの構成は、マイクロ基地局によりＵＥのために構成される。
【００９１】
本実施形態の任意の実装では、第１のサブフレームセット内のサブフレームでＵＥによりマクロ基地局と通信する前に、方法は、ＵＥにより第１のサブフレームセット内のダウンリンクサブフレームを決定し、第１のサブフレームセット内のダウンリンクサブフレームは、ダウンリンクサブフレームｎが第１のサブフレームセットに属する場合、ダウンリンクサブフレーム（ｎ＋８）も第１のサブフレームセットに属することを満たす。
【００９２】
以上に基づき、ＵＥにより第１のサブフレームセット内のダウンリンクサブフレームを決定する任意的な方法は、ＵＥにより、式（１）に従って第１のサブフレームセット内のダウンリンクサブフレームを決定する。
【００９３】
【数１】
0006030238.tif 000002
ここで、ｎｆはサブフレーム番号であり、ｎｓはスロット番号であり、ΔＢＳＣはネットワーク側の上位レイヤで構成されるサブフレームオフセットセットである。ΔＢＳＣは、１又は複数のサブフレームオフセット値を有しても良い。例えば、ΔＢＳＣは、｛０｝、｛１｝、又は｛０，１｝であっても良い。任意で、ΔＢＳＣは、前述の実装で第１のサブフレームセットの構成であっても良い。前述の式（１）を満たすサブフレームは、第１のサブフレームセット内のダウンリンクサブフレームである。ＵＥにより式（１）を用いることにより計算を通じて得られた、第１のサブフレームセット内の２つの近隣ダウンリンクサブフレームは、８サブフレームだけ離れて配置されることが分かる。
【００９４】
例えば、ΔＢＳＣの値が｛０｝であるとき、ＵＥにより決定された、第１のサブフレームセット内のダウンリンクサブフレームは、図１Ａのダウンリンクフレーム（図１ＡのＤＬにより表される）内の影付きボックスとして示される。ここで、影付きボックス内の数字はサブフレーム番号を表す。
【００９５】
例えば、ΔＢＳＣの値が｛１｝であるとき、ＵＥにより決定された、第１のサブフレームセット内のダウンリンクサブフレームは、図１Ｂのダウンリンクフレーム（図１ＢのＤＬにより表される）内の影付きボックスとして示される。ここで、影付きボックス内の数字はサブフレーム番号を表す。
【００９６】
図１Ａ及び図１Ｂを参照すると、ΔＢＳＣの値が｛０｝であるとき、第１のサブフレームセット内の第１のダウンリンクサブフレームは、開始ダウンリンクフレーム内のサブフレーム＃０から開始し、いかなるオフセットも生じないで、次のダウンリンクサブフレームは８サブフレームだけ離れて配置される。ΔＢＳＣの値が｛１｝であるとき、第１のサブフレームセット内の第１のダウンリンクサブフレームは、開始ダウンリンクフレーム内のサブフレーム１から開始し、１オフセットが生じ、次のダウンリンクサブフレームは８サブフレームだけ離れて配置される。
【００９７】
この実装は、柔軟性及び実装の容易さの点で利点を提供する。さらに、ネットワーク側は、ＵＥのためにサブフレームオフセットセットを構成する必要があるだけであり、ＵＥのために第１のサブフレームセット内の各ダウンリンクサブフレームを１つづつ構成する必要がなく、構成を簡略化し及びネットワーク側の構成負荷を低減する。
【００９８】
前述の実装に加えて、第１のサブフレームセット内のダウンリンクサブフレームは、ネットワーク側によりＵＥのために直接構成されても良く、ＵＥは、ネットワーク側の構成に従って、第１のサブフレームセット内のダウンリンクサブフレームを決定し、ネットワーク側により構成されたダウンリンクサブフレーム内の近隣のダウンリンクサブフレームは、８サブフレームだけ離れて配置される。
【００９９】
本実施形態の任意の実装では、本実施形態の第１のサブフレームセットは、アップリンクサブフレームを更に有し、ＵＥにより第１のサブフレームセット内のサブフレームでマクロ基地局と通信する前に、方法は、ＵＥにより第１のサブフレームセット内のアップリンクサブフレームを決定し、第１のサブフレームセット内のアップリンクサブフレームは、ダウンリンクサブフレームｎが第１のサブフレームセットに属する場合、アップリンクサブフレーム（ｎ＋４）も第１のサブフレームセットに属することを満たす。
【０１００】
ＵＥが式（１）に従って第１のサブフレームセット内のダウンリンクサブフレームを決定した後、ＵＥは、決定された第１のサブフレームセット内のダウンリンクサブフレームのサブフレーム番号に４を加算することにより、第１のサブフレームセット内のアップリンクサブフレームのサブフレーム番号を直接決定しても良い。
【０１０１】
例えば、図１Ａに示すように、ΔＢＳＣの値が｛０｝のとき、アップリンクフレーム内の影付きボックス（図１ＡでＵＬにより表される）は、第１のサブフレームセット内のアップリンクサブフレームであり、影付きボックス内の数字はサブフレーム番号を表す。図１Ｂに示すように、ΔＢＳＣの値が｛１｝のとき、アップリンクフレーム内の影付きボックス（図１ＢでＵＬにより表される）は、第１のサブフレームセット内のアップリンクサブフレームであり、影付きボックス内の数字はサブフレーム番号を表す。
【０１０２】
任意で、前述の第１のサブフレームセット内のアップリンクサブフレームを決定する方法に加えて、ＵＥは、式（１）に従って第１のサブフレームセット内のアップリンクサブフレームを決定しても良い。ダウンリンクサブフレームｎが第１のサブフレームセットに属するとき、アップリンクサブフレーム（ｎ＋４）が第１のサブフレームセットに属するという前述の条件を満たすために、第１のサブフレームセット内のダウンリンクサブフレームを決定するときに用いられる式（１）のΔＢＳＣの値は、第１のサブフレームセット内のアップリンクサブフレームを決定するときとは異なり、これらの値は特有の条件を満たす。つまり、ＵＥが式（１）に従って第１のサブフレームセット内のダウンリンクサブフレームを決定するときのΔＢＳＣの値が｛ａ｝である場合、ＵＥが式（１）に従って第１のサブフレームセット内のアップリンクサブフレームを決定するときのΔＢＳＣの値は｛ａ＋４｝である。望ましくは、ａの値の範囲は０乃至９である。
【０１０３】
任意で、第１のサブフレームセット内のアップリンクサブフレームは、ネットワーク側によりＵＥのために直接構成されても良く、ＵＥは、ネットワーク側の構成に従って、第１のサブフレームセット内のアップリンクサブフレームを決定し、ネットワーク側により構成されたアップリンクサブフレーム内の近隣のアップリンクサブフレームは、８サブフレームだけ離れて配置される。
【０１０４】
ここで留意すべきことに、第１のサブフレームセット内のアップリンクサブフレーム及びダウンリンクサブフレームは特有の関係を有するので、ＵＥは、先ず、第１のサブフレームセット内のアップリンクサブフレームを決定し、次に、この関係に従って、決定したアップリンクサブフレームのサブフレーム番号に従ってダウンリンクサブフレームのサブフレーム番号を決定しても良い。例えば、ＵＥは、式（１）に従って第１のサブフレームセット内のアップリンクサブフレームを決定し、次に、関係に従って、決定したアップリンクサブフレームのサブフレーム番号に従ってダウンリンクサブフレームのサブフレーム番号を決定しても良い。代替で、ネットワーク側は、ＵＥのために第１のサブフレームセット内のアップリンクサブフレームのみを構成しても良く、ＵＥは、先ず、ネットワーク側の構成に従って第１のサブフレームセット内のアップリンクサブフレームを決定し、次に、関係に従って、決定したアップリンクサブフレームのサブフレーム番号に従ってダウンリンクサブフレームのサブフレーム番号を決定しても良い。これは、ネットワーク側の構成負荷を低減するのに好ましい。
【０１０５】
本実施形態の任意の実装では、第２のサブフレームセット内のサブフレームでＵＥによりマイクロ基地局と通信する前に、方法は、ＵＥにより第２のサブフレームセット内のダウンリンクサブフレームを決定し、第２のサブフレームセット内のダウンリンクサブフレームは、ダウンリンクサブフレームｍが第２のサブフレームセットに属する場合、ダウンリンクサブフレーム（ｍ＋８）も第２のサブフレームセットに属することを満たす。
【０１０６】
本実施形態の任意の実装では、本実施形態の第２のサブフレームセットは、アップリンクサブフレームを更に有し、ＵＥにより第２のサブフレームセット内のサブフレームでマイクロ基地局と通信する前に、方法は、ＵＥにより第２のサブフレームセット内のアップリンクサブフレームを決定し、第２のサブフレームセット内のアップリンクサブフレームは、ダウンリンクサブフレームｍが第２のサブフレームセットに属する場合、アップリンクサブフレーム（ｍ＋４）も第２のサブフレームセットに属することを満たす。
【０１０７】
ＵＥにより第２のサブフレームセット内のダウンリンクサブフレーム及びアップリンクサブフレームを決定する方法は、ＵＥにより第１のサブフレームセット内のダウンリンクサブフレーム及びアップリンクサブフレームを決定する方法と同じであり、詳細はここで再び記載されない。
【０１０８】
本実施形態の任意の実装では、ＵＥにより第１のサブフレームセット内のサブフレームでマクロ基地局と通信するステップは、ＵＥにより第１のサブフレームセット内のサブフレームでマクロ基地局とダウンリンクで通信するステップを有する。具体的には、ＵＥは、第１のサブフレームセット内のダウンリンクサブフレームでマクロ基地局とダウンリンクで通信する。
【０１０９】
さらに、ＵＥは、第１のサブフレームセット内のサブフレームでマクロ基地局とアップリンクで通信しても良い。具体的には、ＵＥは、第１のサブフレームセット内のアップリンクサブフレームでマクロ基地局とアップリンクで通信する。
【０１１０】
本実施形態の任意の実装では、ＵＥにより第２のサブフレームセット内のサブフレームでマイクロ基地局と通信するステップは、ＵＥにより第２のサブフレームセット内のサブフレームでマイクロ基地局とダウンリンクで通信するステップを有する。具体的には、ＵＥは、第２のサブフレームセット内のダウンリンクサブフレームでマイクロ基地局とダウンリンクで通信する。
【０１１１】
さらに、ＵＥは、第２のサブフレームセット内のサブフレームでマイクロ基地局とアップリンクで更に通信しても良い。具体的には、ＵＥは、第２のサブフレームセット内のアップリンクサブフレームでマイクロ基地局とアップリンクで通信する。
【０１１２】
本発明の本実施形態は、ＵＥが、第１のサブフレームセット内及び第１のサブフレームセット内のサブフレームでそれぞれ異なる信号又はチャネルをマクロ基地局及びマイクロ基地局と交換する実装を提供する。
【０１１３】
ＵＥにより第１のサブフレームセット内のダウンリンクサブフレームでマクロ基地局とダウンリンクで通信するステップは、以下の動作又はそれらの組み合わせのうちのいずれか１つを有する：ＵＥにより第１のサブフレームセット内のダウンリンクサブフレームで、マクロ基地局により送信されるセル固有参照信号（cell-specific  reference  signal：ＣＲＳ）及びＣＲＳに基づき復調されたチャネルを受信するステップであって、ＣＲＳにより復調されたチャネルはＰＤＣＣＨ、ＰＢＣＨ、ＰＣＦＩＣＨ（Physical  Control  Format  Indicator  Channel）、ＰＨＩＣＨ（Physical  Hybrid  Automatic  Repeat  Request  Indicator  Channel）、ＰＤＳＣＨを含むがこれらに限定されず、例えばマクロ基地局はＰＤＣＣＨを通じてＵＥに制御信号を供給し、一方で、マクロ基地局はｅＰＤＣＣＨ（evolved  Physical  Downlink  Control  Channel）を通じてＵＥに制御信号を供給する、ステップと、ＵＥにより第１のサブフレームセット内のダウンリンクサブフレームで、マクロ基地局により送信されるＰＳＳ（Primary  Synchronization  Signal）を受信するステップと、ＵＥにより第１のサブフレームセット内のダウンリンクサブフレームで、マクロ基地局により送信されるＳＳＳ（Secondary  Synchronization  Signal）を受信するステップと、ＵＥにより第１のサブフレームセット内のダウンリンクサブフレームで、ＤＭＲＳ（Demodulation  Reference  Signal）に基づき復調されマクロ基地局により送信されるｅＰＤＣＣＨを受信するステップ。
【０１１４】
したがって、ＵＥにより第２のサブフレームセット内のダウンリンクサブフレームでマイクロ基地局とダウンリンクで通信するステップは、以下の動作又はそれらの組み合わせのうちのいずれか１つを有する：ＵＥにより第２のサブフレームセット内のダウンリンクサブフレームでマイクロ基地局により送信されるＣＳＩ−ＲＳ（Channel  State  Information  Reference  Signal）を受信するステップであって、任意で、ＣＳＩ−ＲＳに基づき復調されたチャネルが現れた場合、ＣＳＩ−ＲＳに基づき復調されたチャネルもマイクロ基地局により第２のサブフレームセット内のダウンリンクサブフレームでＵＥへ送信されても良い、ステップと、ＵＥにより第２のサブフレームセット内のダウンリンクサブフレームでマイクロ基地局により送信されるＤＭＲＳ及びＤＭＲＳに基づき復調されるチャネルを受信するステップであって、ＤＭＲＳに基づき復調されたチャネルは、ＰＤＣＣＨ及びＰＤＳＣＨを含むがこれらに限定されない、ステップ。
【０１１５】
ここで留意すべきことに、マクロ基地局がＵＥへ制御シグナリングを送信する必要がある場合、マクロ基地局は、ＣＲＳによりスクランブリングされたＰＤＣＣＨを用い、マイクロ基地局がＵＥへ制御シグナリングを送信する必要がある場合、マイクロ基地局はＤＭＲＳによりスクランブリングされたｅＰＤＣＣＨを用いる。マクロ基地局とＵＥとの間の送信は、マイクロ基地局とＵＥとの間の送信とは異なるサブフレームで生じるので、別の任意の実装は、マクロ基地局及びマイクロ基地局がＤＭＲＳによりスクランブリングされたｅＰＤＣＣＨを異なるサブフレームで別個にＵＥへ送信する。
【０１１６】
前述のマクロ基地局及びマイクロ基地局によりＵＥへ異なる信号及びチャネルを送信するステップは、マクロ基地局及びマイクロ基地局がＵＥと通信するために協調する単なる一実装であり、本発明はこれに限定されない。例えば、マクロ基地局がＵＥへＰＳＳ及びＳＳＳを送信し、マイクロ基地局もＵＥへＰＳＳ及びＳＳＳを送信しても良い。
【０１１７】
望ましくは、後方互換性の目的で、１つのダウンリンクサブフレームで、ＵＥはマクロ基地局又はマイクロ基地局のいずれかからダウンリンク許可及びＰＤＳＣＨを受信する。
【０１１８】
ＵＥは、ＵＥに固有のＤＣＩ（Downlink  Control  Information）を発見するために、ＰＤＣＣＨ及びｅＰＤＣＣＨ内のＵＥ固有探索空間（UE-specific  search  space）を別個にモニタしても良い。
【０１１９】
概して、ＵＥのユーザデータ及び制御シグナリングの両者は、無線ベアラ（Radio  Bearer：ＲＢ）により伝達される。本実施形態であは、異なる送信ソースとして、マクロ基地局及びマイクロ基地局は、ＵＥのコンテキストをリアルタイムに共有できない。したがって、アップリンク及びダウンリンクデータの正常な送信を保証するために、ＵＥの同じＲＢ上のアップリンク及びダウンリンクデータは、ＵＥと同じ送信ソース（マクロ基地局又はマイクロ基地局のいずれか）との間で送信されるべきである。ダウンリンク通信では、マクロ基地局又はマイクロ基地局は、１つの送信ソースのみ（マクロ基地局又はマイクロ基地局のいずれか）に送信するために、トラフィック分配により、ＵＥの同じＲＢ上のダウンリンクデータを制御しても良い。しかしながら、アップリンク通信では、従来のいかなる基地局も（マクロ基地局又はマイクロ基地局かに係わらず）、どのサイトにＵＥのＲＢ内のアップリンクデータが送信されるかを直接制御できない。ＵＥの同じＲＢ上でアップリンクデータをＵＥと同じ送信ソースとの間で送信できるようにするソリューションが必要である。この問題を解決するために、本発明の本実施形態は、具体的には、ＵＥにより第１のサブフレームセット内のアップリンクサブフレームでアップリンクでマクロ基地局と通信する前に、マクロ基地局又はマイクロ基地局により送信される第１の相関関係を受信し、第１の相関関係は、第１のサブフレームセットに関連付けられた論理チャネルの識別子を有し、論理チャネルとＲＢとの間には１対１対応が存在する、ソリューションを提供する。これに基づき、ＵＥにより第１のサブフレームセット内のアップリンクサブフレームでマクロ基地局と通信するステップは、具体的には、ＵＥにより第１のサブフレームセット内のアップリンクサブフレームで、第１の相関関係に従って、第１の相関関係の中の論理チャネル識別子に対応するＲＢ上でデータをマクロ基地局へ送信する。ＵＥは、第１のサブフレームセットと同じＲＢ上のデータを結合することにより、第１のサブフレームセット内のアップリンクサブフレームでマクロ基地局とのみ通信するので、ＲＢ上のデータがＵＥとマクロ基地局との間でのみ送信されることを保証できる。
【０１２０】
ＵＥにより受信される前述の第１の相関関係がマクロ基地局かマイクロ基地局かは、具体的には、ＵＥのＳＲＢがどこに接続されるかに依存する。ＵＥのＳＲＢがマクロ基地局に接続される場合には、前述の第１の相関関係は、マクロ基地局によりＵＥのために生成され構成される。ＵＥのＳＲＢがマイクロ基地局に接続される場合には、前述の第１の相関関係は、マイクロ基地局によりＵＥのために生成され構成される。
【０１２１】
したがって、ＵＥにより第２のサブフレームセット内のアップリンクサブフレームでマイクロ基地局とアップリンクで通信する前に、方法は、マクロ基地局又はマイクロ基地局により送信される第２の相関関係を受信し、第２の相関関係は第２のサブフレームセットと関連付けられた論理チャネルの識別子を有する。これに基づき、ＵＥにより第２のサブフレームセット内のアップリンクサブフレームでマイクロ基地局と通信するステップは、具体的には、ＵＥにより第２のサブフレームセット内のアップリンクサブフレームで、第２の相関関係に従って、第２の相関関係の中の論理チャネル識別子に対応するＲＢ上でデータをマイクロ基地局へ送信する。ＵＥは、第２のサブフレームセットと同じＲＢ上のデータを結合することにより、第２のサブフレームセット内のアップリンクサブフレームでマイクロ基地局とのみ通信するので、ＲＢ上のデータがＵＥとマイクロ基地局との間でのみ送信されることを保証できる。
【０１２２】
ＵＥにより受信される前述の第２の相関関係がマクロ基地局かマイクロ基地局かは、具体的には、ＵＥのＳＲＢがどこに接続されるかに依存する。ＵＥのＳＲＢがマクロ基地局に接続される場合には、前述の第２の相関関係は、マクロ基地局によりＵＥのために生成され構成される。ＵＥのＳＲＢがマイクロ基地局に接続される場合には、前述の第２の相関関係は、マイクロ基地局によりＵＥのために生成され構成される。
【０１２３】
留意すべきことに、ＵＥのどの１又は複数のＲＢがそれ自体の第１のサブフレームセットとのデータ境界を有するか、及びどの１又は複数のＲＢがそれ自体の第２のサブフレームセットとのデータ境界を有するかは、本発明の本実施形態に限定されず、実際のアプリケーション要件に従って具体的に決定されても良い。図２に示すように、論理チャネル識別子が｛ＬＣＩＤａ０，．．．，ＬＣＩＤａｉ｝の論理チャネルにより伝達されるデータは、第１のサブフレームセット内のサブフレームで送信される。つまり、送信は、ＵＥとマクロ基地局との間で実行される。並びに、論理チャネル識別子が｛ＬＣＩＤｂ０，．．．，ＬＣＩＤｂｊ｝の論理チャネルにより伝達されるデータは、第２のサブフレームセット内のサブフレームで送信される。つまり、送信は、ＵＥとマイクロ基地局との間で実行される。
【０１２４】
本発明の本実施形態では、ＵＥとマクロ基地局との間の通信及びＵＥとマイクロ基地局との間の通信は、２つの異なるサブフレームセット内で生じるので、並びに、ＵＥとマクロ基地局との間のチャネル状態及びＵＥとマイクロ基地局との間のチャネル状態は異なるので、それら個々の関連する物理層パラメータ構成は、同じであっても良く、異なっても良い。
【０１２５】
以上に基づき、本実施形態の任意の実装では、ＵＥにより第１のサブフレームセット内のサブフレームでマクロ基地局と通信する前に、方法は、ＵＥによりマクロ基地局又はマイクロ基地局により送信される第１の物理層パラメータ構成を受信し、第１の物理層パラメータ構成は、ＵＥとマクロ基地局との間のチャネルのためにネットワーク側により構成される。次に、ＵＥにより第１のサブフレームセット内のサブフレームでマクロ基地局と通信するステップは、具体的には、ＵＥにより第１の物理層パラメータ構成に従って第１のサブフレームセット内のサブフレームでマクロ基地局と通信する。つまり、ＵＥは、マクロ基地局と通信するために、第１の物理層パラメータ構成を用いる。
【０１２６】
本実施形態の別の任意の実装では、ＵＥにより第２のサブフレームセット内のサブフレームでマイクロ基地局と通信する前に、方法は、ＵＥによりマクロ基地局又はマイクロ基地局により送信される第２の物理層パラメータ構成を受信するステップであって、第２の物理層パラメータ構成はＵＥとマイクロ基地局との間のチャネルのためにネットワーク側により構成され、第２の物理層パラメータ構成は第１の物理層パラメータ構成と異なる、ステップを有しても良い。第２の物理層パラメータ構成は第１の物理層パラメータ構成と異なると言及されるとき、これは、主に、物理層パラメータの値が異なり、同時に、構成された物理層パラメータが同じであっても良く異なっても良いことを意味する。
【０１２７】
第１の物理層パラメータ構成及び第２の物理層パラメータ構成の両方で、構成される必要のある物理層パラメータは、専用ＰＤＳＣＨ構成（PDSCH-ConfigDedicated）、専用ＰＵＣＣＨ（Physical  Uplink  Control  Channel）構成（PUCCH-ConfigDedicated）、専用アップリンク電力制御構成（UplinkPowerControlDedicated）、スケジューリング要求構成（schedulingRequestConfig）、及びチャネル品質レポート構成（cqi-ReportConfig）を含むがこれらに限定されない。
【０１２８】
ＵＥにより受信される前述の第１の物理層パラメータ構成及び第２の物理層パラメータ構成がマクロ基地局又はマイクロ基地局により送信されるかは、ＵＥのＳＲＢがどこに接続されるかに依存する。ＵＥのＳＲＢがマクロ基地局に接続される場合、前述の第１の物理層パラメータ構成及び第２の物理層パラメータ構成は、マクロ基地局によりＵＥのために生成され構成される。ＵＥのＳＲＢがマイクロ基地局に接続される場合、前述の第１の物理層パラメータ構成及び第２の物理層パラメータ構成は、マイクロ基地局によりＵＥのために生成され構成される。
【０１２９】
つまり、ネットワーク側は、ＵＥの異なるサブフレームセットのために異なる物理層パラメータ構成を提供しても良い。このように、ＵＥは、異なるサブフレームサブセット内のサブフレームで無線インタフェース送信を実行するために、対応する物理層パラメータ構成を用いても良い。これは、異なるチャネル状態に適応し、送信品質を向上するために好ましい。
【０１３０】
ここで留意すべきことに、ネットワーク側は、ＵＥの異なるサブフレームのための異なる物理層パラメータ構成を提供しなくても良く、したがって、ＵＥは、異なるサブフレームサブセット内のサブフレームで無線インタフェース送信を実行するために同じ物理層パラメータ構成を用いても良い。これは、ネットワーク側の構成シグナリングを節約するために好ましい。
【０１３１】
ここで留意すべきことに、本発明の本実施形態は、ＵＥの観点から記載されたが、マクロ基地局及びマイクロ基地局との送信のためにそれぞれＵＥにより用いられる第１のサブフレームセットと第２のサブフレームセットとの間のいかなる衝突も存在しないことを保証するために、マクロ基地局及びマイクロ基地局は、交渉して第１のサブフレームセット及び第２のサブフレームセットを決定するために互いに相互作用しても良い。さらに、ＨＡＲＱをサポートするために、全てのＨＡＲＱプロセスは、異なるサブフレームセットと境界を付けられる必要がある。つまり、別個のＨＡＲＱプロセスは、衝突の発生を回避するために、マクロ基地局のために又はマイクロ基地局のために決定される必要がある。ＨＡＲＱプロセス識別子は、ＵＥレベルの概念であり、サイトレベルの概念ではない。つめい、マクロ基地局及びマイクロ基地局は、同じＵＥと通信するとき、同じＨＡＲＱプロセス識別子を用いることができない。ＦＤＤ（Frequency  Division  Duplexing）システムでは、１つのＵＥは最大で８個のＨＡＲＱプロセスのみを有することができる。２つのＵＥ、つまり第１のＵＥ及び第２のＵＥが存在すると仮定する。マクロ基地局は、第１のＵＥと通信するためにＨＡＲＱプロセス識別子セット｛０，１，２，３｝を用いても良く、マイクロ基地局は、第１のＵＥと通信するためにＨＡＲＱプロセス識別子セット｛４，５，６，７｝を用いても良い。マクロ基地局は、第２のＵＥと通信するためにＨＡＲＱプロセス識別子セット｛０，１｝を用いても良く、マイクロ基地局は、第２のＵＥと通信するためにＨＡＲＱプロセス識別子セット｛２，３，４，５，６，７｝を用いても良い。ここで、サブフレームセットのグルーピング及びプロセス識別子セットのグルーピングは一致するべきである。ＦＤＤシステムでは、４０個の連続するサブフレームは８個のサブフレームサブセット（各サブセットは５個のサブフレームを有する）にグループ化され、マクロ基地局又はマイクロ基地局によりそれぞれ用いられる第１のサブフレームセット又は第２のサブフレームセットに含まれるサブフレームサブセットの数は、マクロ基地局又はマイクロ基地局に割り当てられるＨＡＲＱプロセス識別子の数と等しいべきであり、マクロ基地局又はマイクロ基地局は、相互作用及び交渉により、それらの個々の使用されるＨＡＲＱプロセスを決定しても良い。
【０１３２】
任意で、マクロ基地局及びマイクロ基地局は、それらの個々のサブフレームセット及びＨＡＲＱプロセス識別子セットを異なる相互作用プロセスにより決定しても良く、それら個々のサブフレームセット及びＨＡＲＱプロセス識別子セットを同じ相互作用プロセスの中で同時に決定しても良い。望ましくは、サブフレームセット及びＨＡＲＱプロセス識別子セットに係る交渉は、同じ相互作用プロセスの中で同時に完了する。
【０１３３】
前述の好ましい実装では、特有の実装は次の通りである。マイクロ基地局は、第１のサブフレームセット、第２のサブフレームセット、並びにマクロ基地局及びマイクロ基地局により用いられＵＥに対応する別個のＨＡＲＱプロセス識別子セットを決定し、第１のサブフレームセット、第２のサブフレームセット、及びマクロ基地局及びマイクロ基地局により用いられＵＥに対応する別個のＨＡＲＱプロセス識別子セットをマイクロ基地局に送信して、マイクロ基地局が第２のサブフレームセット、並びにマイクロ基地局により使用されＵＥに対応するＨＡＲＱプロセス識別子セットを決定できるようにする。別の特有の実装は次の通りである。マクロ基地局は、第１のサブフレームセット、並びにマクロ基地局により使用されＵＥに対応するＨＡＲＱプロセス識別子セットを決定し、第１のサブフレームセット、並びにマクロ基地局により使用されＵＥに対応するＨＡＲＱプロセス識別子セットをマイクロ基地局に送信する。したがって、マイクロ基地局は、第１のサブフレームセット内のサブフレーム以外のサブフレームのうちの全部又は一部を使用し、マクロ基地局により使用されるＨＡＲＱプロセス以外のＨＡＲＱプロセスのうちの全部又は一部をマイクロ基地局により使用されるべきＨＡＲＱプロセスとして使用し、マクロ基地局に選択結果を返す。更に別の実装は次の通りである。マクロ基地局は、第１のサブフレームセット、第２のサブフレームセット、並びにマクロ基地局及びマイクロ基地局により使用されＵＥに対応する別個のＨＡＲＱプロセス識別子セットを決定し、次に、第２のサブフレームセット、並びにマクロ基地局及びマイクロ基地局により使用されＵＥに対応するＨＡＲＱプロセス識別子セットをマイクロ基地局に送信する。
【０１３４】
前述の実装では、マクロ基地局は、マイクロ基地局に、明示定義方法を用いることにより、ＨＡＲＱプロセス識別子セットを通知しても良い。例えば、第１のサブフレームセット及び／又は第２のサブフレームセットを示すために、ビットマップが用いられる。また、どのＨＡＲＱプロセスがマイクロ基地局により使用されＵＥに対応するか、及び／又はどのＨＡＲＱプロセスがマクロ基地局により使用されＵＥに対応するかを示すために、８ビットビットマップが用いられる。例えば、対応するビット１は、ＨＡＲＱプロセスがマクロ基地局により用いられることを示し、対応するビット０は、ＨＡＲＱプロセスがマイクロ基地局により用いられることを示す。
【０１３５】
前述の実装では、マクロ基地局は、マイクロ基地局に、暗示定義方法を用いることにより、ＨＡＲＱプロセス識別子セットを更に通知しても良い。例えば、ＨＡＲＱプロセス識別子セットとサブフレームセットとの間の１対１マッピング関係は予め定められても良い。例えば、マイクロ基地局により使用できるサブフレームを示すビットマップが構成される。ビットマップのｋ番目のビット（０＝＜ｋ＜＝７）が１である場合、マイクロ基地局は、プロセス識別子がｋであるＨＡＲＱプロセスを用いる。このように、マクロ基地局によりマイクロ基地局へ送信されるデータの量は低減される。これは、送信効率の向上のために好ましい。留意すべきことに、前述のマクロ基地局とマイクロ基地局との間の相互作用及び交渉手順は、初期コンテキスト要求／応答（INITIAL  CONTEXT  REQUEST/RESPONSE）手順であっても良く、ＵＥコンテキスト変更要求／応答（UECONTEXT  MODIFICATION  REQUEST/RESPONSE）手順であっても良いが、これらに限定されない。つまり、マクロ基地局によりマイクロ基地局へ送信される第１のサブフレームセット及び／又は第２のサブフレームセット、並びにマクロ基地局により使用されＵＥに対応するＨＡＲＱプロセス識別子及び／又はマイクロ基地局により使用されＵＥに対応するＨＡＲＱプロセス識別子は、マイクロ基地局へ送信されるINITIAL  CONTEXT  REQUEST又はUE  CONTEXT  MODIFICATION  REQUESTの中で伝達され、マイクロ基地局へ送信されても良い。
【０１３６】
以上から、本発明の本実施形態による協調送信方法は、ＵＥがマクロ基地局及びマイクロ基地局と別個に通信する時分割多重方法を用いることが分かる。したがって、マクロ基地局及びマイクロ基地局は、ＵＥのコンテキストをリアルタイムに共有する必要がなく、無線インタフェース側の通信遅延に関する要件を減らす。このように、もはやマクロ基地局とマイクロ基地局との間の相互接続方法に課される制限が存在しないことにより、協調送信技術のアプリケーションシナリオ及び範囲を拡張する。さらに、本実施形態の方法は、協調送信手順中に直面し得る複数の問題を解決するために、種々の実装を更に提供する。例えば、ＵＥの同じＲＢ上のデータは、ＵＥと１つの送信ソースとの間でのみ送信される。これは、データ送信の正確性を保証する。別の例では、異なる物理層パラメータ構成が異なるサブフレームセットのために設けられる。これは、通信品質を向上する。更に別の例では、マクロ基地局及びマイクロ基地局は、異なる信号又はチャネルをＵＥと交換する。これは、協調送信を実装するだけでなく、通信効率も向上する。
【０１３７】
本発明の別の実施形態は、協調送信方法を提供する。この実施形態はマクロ基地局の観点から記載される。方法は、具体的には、マクロ基地局により、第１のサブフレームセット内のサブフレームでＵＥと通信するステップであって、ＵＥは第２のサブフレームセット内のサブフレームでマイクロ基地局と更に通信し、第１のサブフレームセット内のサブフレーム及び第２のサブフレームセット内のサブフレームは重なり合わない、ステップを有する。
【０１３８】
本実施形態におけるＵＥは、マクロ基地局及びマイクロ基地局のカバレッジ内に位置し、マクロ基地局及びマイクロ基地局と時分割多重方式で別個に通信する。
【０１３９】
本実施形態の任意の実装では、それぞれマクロ基地局及びマイクロ基地局との送信のためにＵＥにより使用される第１のサブフレームセットと第２のサブフレームセットとの間のいかなる衝突も存在しないことを保証するために、マクロ基地局により、第１のサブフレームセット内のサブフレームでＵＥと通信する前に、方法は、マイクロ基地局が第２のサブフレームセットを取得できるように、マクロ基地局により、第１のサブフレームセット及び／又は第２のサブフレームセットをマイクロ基地局へ送信するステップを有する。
【０１４０】
追加で、ＨＡＲＱをサポートするために、さらに、マクロ基地局及びマイクロ基地局により使用されＵＥに対応する別個のＨＡＲＱプロセスを決定する必要がある。つまり、マクロ基地局は、さらに、マクロ基地局により使用されＵＥに対応するＨＡＲＱプロセス識別子セット及び／又はマイクロ基地局により使用されＵＥに対応するＨＡＲＱプロセス識別子セットをマイクロ基地局へ送信する必要がある。したがって、マイクロ基地局は、マイクロ基地局により使用されＵＥに対応するＨＡＲＱプロセス識別子セットを取得する。
【０１４１】
マクロ基地局により、使用されるサブフレームセット及びＨＡＲＱプロセス識別子セットをマイクロ基地局へ送信するステップの他の実装、及び各他の実装の詳細な記載では、ここで再び記載されない前述の実施形態における対応する記載を参照する。
【０１４２】
本実施形態の任意の実装では、ＵＥは、チャネル状態が異なる異なるサブフレームセット内のサブフレームで、マクロ基地局及びマイクロ基地局と別個に通信する。異なるチャネル状態に適応し及び通信品質を向上するために、マクロ基地局により、第１のサブフレームセット内のサブフレームでＵＥと通信する前に、方法は、マクロ基地局により、それぞれ第１のサブフレームセット及び第２のサブフレームセットに対応する第１の物理層パラメータ構成及び第２の物理層パラメータ構成をＵＥへ送信するステップを更に有する。このように、ＵＥは、信号を送信するために各チャネル状態に対応する物理層パラメータ構成を用いることができる。これは、送信品質を向上するのに好ましい。
【０１４３】
前述の実装では、第１の物理層パラメータ構成及び第２の物理層パラメータ構成をＵＥへ送信する前に、マクロ基地局は、第１の物理層パラメータ構成及び第２の物理層パラメータ構成を取得する必要がある。
【０１４４】
任意で、第１の物理層パラメータ構成はマクロ基地局により決定され、第２の物理層パラメータ構成はマイクロ基地局により決定され、次に、マクロ基地局により第１の物理層パラメータ構成及び第２の物理層パラメータ構成を取得する方法は、マクロ基地局により第１の物理層パラメータ構成を決定し、マイクロ基地局により送信された第２の物理層パラメータ構成を受信する。
【０１４５】
任意で、第１の物理層パラメータ構成及び第２の物理層パラメータ構成の両方は、マクロ基地局により決定され、マクロ基地局により第１の物理層パラメータ構成及び第２の物理層パラメータ構成を取得する方法は、マクロ基地局により第１の物理層パラメータ構成及び第２の物理層パラメータ構成を別個に決定する。これに基づき、本実施形態の方法は、マクロ基地局により、第２の物理層パラメータ構成をマイクロ基地局へ送信するステップを更に有する。したがって、マイクロ基地局は、第２の物理層パラメータ構成について学習する。
【０１４６】
本実施形態の任意の実装では、マクロ基地局は、第１のサブフレームセット内のサブフレームでＵＥとダウンリンクで通信する。具体的には、マクロ基地局は、第１のサブフレームセット内のダウンリンクサブフレームでＵＥとダウンリンクで通信する。マクロ基地局により、第１のサブフレームセット内のダウンリンクサブフレームでＵＥとダウンリンクで通信するステップは、以下の動作又はそれらの組み合わせのうちのいずれか１つを有する：マクロ基地局により、第１のサブフレームセット内のダウンリンクサブフレームで、ＣＲＳ及びＣＲＳに基づき復調されたチャネルをＵＥへ送信するステップと、マクロ基地局により、第１のサブフレームセット内のダウンリンクサブフレームでＰＳＳをＵＥへ送信するステップと、マクロ基地局により、第１のサブフレームセット内のダウンリンクサブフレームでＳＳＳをＵＥへ送信するステップと、マクロ基地局により、第１のサブフレームセット内のダウンリンクサブフレームでＤＭＲＳに基づき復調されたｅＰＤＣＣＨをＵＥへ送信するステップ。
【０１４７】
本実施形態の任意の実装では、マクロ基地局は、第１のサブフレームセット内のサブフレームでＵＥとアップリンクで通信する。具体的には、マクロ基地局は、第１のサブフレームセット内のアップリンクサブフレームでＵＥとアップリンクで通信する。
【０１４８】
ＵＥの同じＲＢ上のデータがＵＥとマクロ基地局との間でのみ送信できることを保証するために、マクロ基地局が第１のサブフレームセット内のアップリンクサブフレームでＵＥとアップリンクで通信する前に、方法は、マクロ基地局により、第１の相関関係をＵＥへ送信するステップであって、第１の相関関係は、第１のサブフレームセットに関連付けられた論理チャネルの識別子を有する、ステップを有する。これに基づき、マクロ基地局により第１のサブフレームセット内のアップリンクサブフレームでＵＥとアップリンクで通信するステップは、マクロ基地局により、第１のサブフレームセット内のアップリンクサブフレームで、第１の相関関係の中の論理チャネルの識別子に対応するＲＢ上でＵＥにより送信されたデータを受信するステップを有する。
【０１４９】
追加で、ＵＥの別のＲＢ上のデータがＵＥとマイクロ基地局との間でのみ送信されることを保証するために、マクロ基地局は、第２の相関関係をＵＥへ更に送信しても良い。ここで、第２の相関関係は、第２のサブフレームセットに関連付けられた論理チャネルの識別子を有する。したがって、ＵＥは、第２のサブフレームセット内のアップリンクサブフレームで、第２の相関関係の中の論理チャネルの識別子に対応するＲＢ上でデータをマイクロ基地局へ送信する。
【０１５０】
本実施形態の任意の実装では、ＵＥが第１のサブフレームセットと第２のサブフレームセットとの間を区別できるように、第１のサブフレームセット内のサブフレームでＵＥと通信する前に、マクロ基地局は、第１のサブフレームセットの構成及び／又は第２のサブフレームセットの構成をＵＥへ送信する。したがって、ＵＥは、第１のサブフレームセットと第２のサブフレームセットとの間で区別できる。
【０１５１】
ここで留意すべきことに、ＵＥのＳＲＢがマクロ基地局に接続されるとき、マクロ基地局は、ＵＥへ、第１の物理層パラメータ構成、第２の物理層パラメータ構成、第１の相関関係、第２の相関関係、並びに、第１のサブフレームセットの構成及び／又は第２のサブフレームセットの構成を送信する。
【０１５２】
本実施形態による協調送信方法の詳細な記載については、前述の実施形態の中の対応する手順の記載を参照し、ここで再び記載されない。
【０１５３】
以上から分かることは、本発明の本実施形態による協調送信方法では、マクロ基地局はＵＥがマクロ基地局及びマイクロ基地局と時分割多重方式で別個に通信するのを支援し、マクロ基地局は第１のサブフレームセット内のサブフレームでＵＥと通信する。したがって、マクロ基地局及びマイクロ基地局はＵＥのコンテキストをリアルタイムに共有する必要がない。これは、無線インタフェース側における通信遅延に関する要件を減らす。このように、もはやマクロ基地局とマイクロ基地局との間の相互接続方法に課される制限が存在しないことにより、協調送信技術のアプリケーションシナリオ及び範囲を拡張する。さらに、本実施形態の方法は、協調送信手順中に直面し得る複数の問題を解決するために、種々の実装を更に提供する。例えば、ＵＥの同じＲＢ上のデータは、ＵＥと１つの送信ソースとの間でのみ送信される。これは、データ送信の正確性を保証する。別の例では、異なる物理層パラメータ構成が異なるサブフレームセットのために設けられる。これは、通信品質を向上する。更に別の例では、マクロ基地局及びマイクロ基地局は、異なる信号又はチャネルをＵＥと交換する。これは、協調送信を実装するだけでなく、通信効率も向上する。
【０１５４】
本発明の更に別の実施形態は、協調送信方法を提供する。この実施形態はマイクロ基地局の観点から記載される。本実施形態の方法は、マイクロ基地局により、第２のサブフレームセット内のサブフレームでＵＥと通信するステップであって、ＵＥは第１のサブフレームセット内のサブフレームでマクロ基地局と更に通信し、第１のサブフレームセット内のサブフレーム及び第２のサブフレームセット内のサブフレームは重なり合わない、ステップを有する。
【０１５５】
本実施形態におけるＵＥは、マクロ基地局及びマイクロ基地局のカバレッジ内に位置し、マクロ基地局及びマイクロ基地局と時分割多重方式で別個に通信する。
【０１５６】
本実施形態の任意の実装では、それぞれマクロ基地局及びマイクロ基地局との送信のためにＵＥにより使用される第１のサブフレームセットと第２のサブフレームセットとの間のいかなる衝突も存在しないことを保証するために、マクロ基地局により、第１のサブフレームセット内のサブフレームでＵＥと通信する前に、方法は、マイクロ基地局が第２のサブフレームセットを取得できるように、マクロ基地局により、第１のサブフレームセット及び／又は第２のサブフレームセットをマイクロ基地局へ送信するステップを有する。したがって、マイクロ基地局は、マクロ基地局により送信される第１のサブフレームセット及び／又は第２のサブフレームセットを受信し、したがって第２のサブフレームセットを取得する。
【０１５７】
追加で、ＨＡＲＱをサポートするために、さらに、マクロ基地局及びマイクロ基地局により使用される別個のＨＡＲＱプロセスを決定する必要がある。つまり、マクロ基地局は、さらに、マクロ基地局により使用されＵＥに対応するＨＡＲＱプロセス識別子セット及び／又はマイクロ基地局により使用されＵＥに対応するＨＡＲＱプロセス識別子セットをマイクロ基地局へ送信する必要がある。したがって、マイクロ基地局は、マイクロ基地局により使用されＵＥに対応するＨＡＲＱプロセス識別子セットを取得する。したがって、マイクロ基地局は、マクロ基地局から、マクロ基地局により使用されＵＥに対応するＨＡＲＱプロセス識別子セット及び／又はマイクロ基地局により使用されＵＥに対応するＨＡＲＱプロセス識別子セットを受信し、したがって、マイクロ基地局により使用されるＨＡＲＱプロセス識別子セットを取得する。
【０１５８】
マクロ基地局により、使用されるサブフレームセット及びＨＡＲＱプロセス識別子セットをマイクロ基地局へ送信するステップの他の実装、及び各他の実装の詳細な記載では、ここで再び記載されない前述の実施形態における対応する記載を参照する。
【０１５９】
本実施形態の任意の実装では、ＵＥは、チャネル状態が異なる異なるサブフレームセット内のサブフレームで、マクロ基地局及びマイクロ基地局と別個に通信する。異なるチャネル状態に適応し及び通信品質を向上するために、マイクロ基地局により、第２のサブフレームセット内のサブフレームでＵＥと通信する前に、方法は、マイクロ基地局により、それぞれ第１のサブフレームセット及び第２のサブフレームセットに対応する第１の物理層パラメータ構成及び第２の物理層パラメータ構成をＵＥへ送信するステップを更に有する。このように、ＵＥは、信号を送信するために各チャネル状態に対応する物理層パラメータ構成を用いることができる。これは、送信品質を向上するのに好ましい。
【０１６０】
前述の実装では、それぞれ第１のサブフレームセット及び第２のサブフレームセットに対応する第１の物理層パラメータ構成及び第２の物理層パラメータ構成をＵＥへ送信する前に、マイクロ基地局は、第１の物理層パラメータ構成及び第２の物理層パラメータ構成を取得する必要がある。
【０１６１】
任意で、第１の物理層パラメータ構成はマクロ基地局により決定され、第２の物理層パラメータ構成はマイクロ基地局により決定される。次に、マイクロ基地局により、第１の物理層パラメータ構成及び第２の物理層パラメータ構成を取得する方法は、マイクロ基地局により第２の物理層パラメータ構成を決定するステップと、マクロ基地局により送信される第１の物理層パラメータ構成を受信するステップと、を有する。
【０１６２】
任意で、第１の物理層パラメータ構成及び第２の物理層パラメータ構成は、マイクロ基地局により決定されても良い。次に、マイクロ基地局により、第１の物理層パラメータ構成及び第２の物理層パラメータ構成を取得する方法は、マイクロ基地局により第１の物理層パラメータ構成及び第２の物理層パラメータ構成を別個に決定するステップを有する。これに基づき、本実施形態の方法は、マイクロ基地局により、第１の物理層パラメータ構成をマクロ基地局へ送信するステップを更に有する。したがって、マクロ基地局は、第１の物理層パラメータ構成について学習する。
【０１６３】
本実施形態の任意の実装では、マイクロ基地局は、第２のサブフレームセット内のサブフレームでＵＥとダウンリンクで通信する。具体的には、マイクロ基地局は、第２のサブフレームセット内のダウンリンクサブフレームでＵＥとダウンリンクで通信する。マイクロ基地局により、第２のサブフレームセット内のダウンリンクサブフレームでＵＥとダウンリンクで通信するステップは、以下の動作又はそれらの組合せのうちのいずれか１つを有する：マイクロ基地局により、第２のサブフレームセット内のダウンリンクサブフレームでＣＳＩ−ＲＳをＵＥへ送信するステップと、マイクロ基地局により、第２のサブフレームセット内のダウンリンクサブフレームでＤＭＲＳ及びＤＭＲＳに基づき復調されたチャネルをＵＥへ送信するステップ。
【０１６４】
本実施形態の任意の実装では、マイクロ基地局は、第２のサブフレームセット内のサブフレームでＵＥとアップリンクで通信する。具体的には、ＵＥは、第２のサブフレームセット内のアップリンクサブフレームでマイクロ基地局とアップリンクで通信する。
【０１６５】
ＵＥの同じＲＢ上のデータがＵＥとマイクロ基地局との間でのみ送信できることを保証するために、マイクロ基地局が第２のサブフレームセット内のアップリンクサブフレームでＵＥとアップリンクで通信する前に、方法は、マイクロ基地局により、第２の相関関係をＵＥへ送信するステップであって、第２の相関関係は、第２のサブフレームセットに関連付けられた論理チャネルの識別子を有する、ステップを有する。これに基づき、マイクロ基地局により第２のサブフレームセット内のアップリンクサブフレームでＵＥとアップリンクで通信するステップは、マイクロ基地局により、第２のサブフレームセット内のアップリンクサブフレームで、第２の相関関係の中の論理チャネルの識別子に対応するＲＢ上でＵＥにより送信されたデータを受信するステップを有する。
【０１６６】
追加で、ＵＥの別のＲＢ上のデータがＵＥとマクロ基地局との間でのみ送信されることを保証するために、マイクロ基地局は、第１の相関関係をＵＥへ更に送信しても良い。ここで、第１の相関関係は、第１のサブフレームセットに関連付けられた論理チャネルの識別子を有する。したがって、ＵＥは、第１のサブフレームセット内のアップリンクサブフレームで、第１の相関関係の中の論理チャネルの識別子に対応するＲＢ上でデータをマイクロ基地局へ送信する。
【０１６７】
本実施形態の任意の実装では、ＵＥが第１のサブフレームセットと第２のサブフレームセットとの間を区別できるように、第２のサブフレームセット内のサブフレームでユーザ機器ＵＥと通信する前に、マイクロ基地局は、第１のサブフレームセットの構成及び／又は第２のサブフレームセットの構成をＵＥへ送信する。したがって、ＵＥは、第１のサブフレームセットと第２のサブフレームセットとの間で区別できる。
【０１６８】
ここで留意すべきことに、ＵＥのＳＲＢがマイクロ基地局に接続されるとき、マイクロ基地局は、ＵＥへ、第１の物理層パラメータ構成、第２の物理層パラメータ構成、第１の相関関係、第２の相関関係、並びに、第１のサブフレームセットの構成及び／又は第２のサブフレームセットの構成を送信する。
【０１６９】
本実施形態による協調送信方法の詳細な記載については、前述の実施形態の中の対応する手順の記載を参照し、ここで再び記載されない。
【０１７０】
以上から分かることは、本発明の本実施形態による協調送信方法では、マイクロ基地局はＵＥがマクロ基地局及びマイクロ基地局と時分割多重方式で別個に通信するのを支援し、マイクロ基地局は第２のサブフレームセット内のサブフレームでＵＥと通信する。したがって、マクロ基地局及びマイクロ基地局はＵＥのコンテキストをリアルタイムに共有する必要がない。これは、無線インタフェース側における通信遅延に関する要件を減らす。このように、もはやマクロ基地局とマイクロ基地局との間の相互接続方法に課される制限が存在しないことにより、協調送信技術のアプリケーションシナリオ及び範囲を拡張する。さらに、本実施形態の方法は、協調送信手順中に直面し得る複数の問題を解決するために、種々の実装を更に提供する。例えば、ＵＥの同じＲＢ上のデータは、ＵＥと１つの送信ソースとの間でのみ送信される。これは、データ送信の正確性を保証する。別の例では、異なる物理層パラメータ構成が異なるサブフレームセットのために設けられる。これは、通信品質を向上する。更に別の例では、マクロ基地局及びマイクロ基地局は、異なる信号又はチャネルをＵＥと交換する。これは、協調送信を実装するだけでなく、通信効率も向上する。
【０１７１】
図３は、本発明の一実施形態によるＵＥの概略的構造図である。図３に示されるように、本実施形態のＵＥは、第１の通信ユニット３１と、第２の通信ユニット３３と、を有する。
【０１７２】
第１の通信ユニット３１は、マクロ基地局に接続され、第１のサブフレームセット内のサブフレームでマクロ基地局と通信するよう構成される。第２の通信ユニット３２は、マイクロ基地局に接続され、第２のサブフレームセット内のサブフレームでマイクロ基地局と通信するよう構成される。ここで、第１のサブフレームセット内のサブフレーム及び第２のサブフレームセット内のサブフレームは重なり合わない。
【０１７３】
本実施形態によるＵＥの機能ユニットは、ＵＥの観点から記載された前述の方法の実施形態の手順を実行し、機能ユニットの特有の動作原理はここで再び記載されない。
【０１７４】
本実施形態のＵＥは、マクロ基地局及びマイクロ基地局と時分割多重方法で別個に通信し、ＵＥのコンテキストは、マクロ基地局及びマイクロ基地局で別個に生成される。したがって、マクロ基地局及びマイクロ基地局は、ＵＥのコンテキストをリアルタイムに共有する必要がなく、マクロ基地局とマイクロ基地局との間のバックホールリンクの通信遅延についての要件を減らす。このように、マクロ基地局及びマイクロ基地局は、光ファイバ又は高速マイクロ波により相互接続される必要がない。本実施形態による協調送信方法は、もはやマクロ基地局及びマイクロ基地局が相互接続される方法により妨げられず、広範な用途範囲に適用でき、協調送信技術を完全に活用できる。
【０１７５】
図４は、本発明の別の実施形態によるＵＥの概略的構造図である。本実施形態は、図３に示す実施形態に基づき実装される。図４に示すように、第１の通信ユニット３１及び第２の通信ユニット３２を有するのに加えて、本実施形態のＵＥは第１の決定ユニット３３を更に有する。
【０１７６】
第１の決定ユニット３３は、第１のサブフレームセット内のダウンリンクサブフレームを決定するよう構成される。ここで、第１のサブフレームセット内のダウンリンクサブフレームは、ダウンリンクサブフレームｎが第１のサブフレームセットに属する場合、ダウンリンクサブフレーム（ｎ＋８）も第１のサブフレームセットに属することを満たす。
【０１７７】
任意で、第１の決定ユニット３３は、第１のサブフレームセット内のアップリンクサブフレームを決定するよう構成される。ここで、第１のサブフレームセット内のアップリンクサブフレームは、ダウンリンクサブフレームｎが第１のサブフレームセットに属する場合、アップリンクサブフレーム（ｎ＋４）も第１のサブフレームセットに属することを満たす。
【０１７８】
第１の決定ユニット３３は、第１の通信ユニット３１に接続され、第１のサブフレームセット内のダウンリンクサブフレーム及び／又はアップリンクサブフレームを第１の通信ユニット３１に提供するよう構成される。
【０１７９】
任意で、本実施形態のＵＥは、第２の決定ユニット３４を更に有しても良い。ここで、第２の決定ユニット３４は、第２のサブフレームセット内のダウンリンクサブフレームを決定し、第２のサブフレームセット内のダウンリンクサブフレームは、ダウンリンクサブフレームｍが第２のサブフレームセットに属する場合、ダウンリンクサブフレーム（ｍ＋８）も第２のサブフレームセットに属することを満たす。
【０１８０】
任意で、第２の決定ユニット３４は、第２のサブフレームセット内のアップリンクサブフレームを決定するよう構成される。ここで、第２のサブフレームセット内のアップリンクサブフレームは、ダウンリンクサブフレームｍが第２のサブフレームセットに属する場合、アップリンクサブフレーム（ｍ＋４）も第２のサブフレームセットに属することを満たす。
【０１８１】
第２の決定ユニット３４は、第２の通信ユニット３２に接続され、第２のサブフレームセット内のダウンリンクサブフレーム及び／又はアップリンクサブフレームを第２の通信ユニット３２に提供するよう構成される。
【０１８２】
任意の実装では、第１の通信ユニット３１は、具体的には、第１のサブフレームセット内のダウンリンクサブフレームでマクロ基地局とダウンリンクで通信するよう構成される。
【０１８３】
第１の通信ユニット３１は、具体的には、第１のサブフレームセット内のダウンリンクサブフレームでマクロ基地局とダウンリンクで通信するよう構成されることは、第１の通信ユニット３１は、具体的には、以下の動作又はそれらの組合せのうちのいずれか１つを実行するよう構成される：第１の通信ユニット３１は、具体的には、第１のサブフレームセット内のダウンリンクサブフレームで、マクロ基地局により送信されたＣＲＳ及びＣＲＳに基づき復調されたチャネルを受信するよう構成され、第１の通信ユニット３１は、具体的には、第１のサブフレームセット内のダウンリンクサブフレームで、マクロ基地局により送信されたＰＳＳを受信するよう構成され、第１の通信ユニット３１は、具体的には、第１のサブフレームセット内のダウンリンクサブフレームで、マクロ基地局により送信されたＳＳＳを受信するよう構成され、第１の通信ユニット３１は、具体的には、第１のサブフレームセット内のダウンリンクサブフレームで、ＤＭＲＳに基づき復調されマクロ基地局により送信されたｅＰＤＣＣＨを受信するよう構成される。
【０１８４】
任意の実装では、第１の通信ユニット３１は、具体的には、第１のサブフレームセット内のアップリンクサブフレームでマクロ基地局とアップリンクで通信するよう構成される。
【０１８５】
任意で、本実施形態のＵＥは、第１の受信ユニット３５を更に有する。ここで、第１の受信ユニット３５は、第１の通信ユニット３１に接続され、第１の通信ユニット３１が第１のサブフレームセット内のダウンリンクサブフレームでマクロ基地局とダウンリンクで通信する前に、マクロ基地局又はマイクロ基地局により送信された第１の相関関係を受信するよう構成され、第１の相関関係は第１のサブフレームセットに関連付けられた論理チャネルの識別子を含む。第１の受信ユニット３５は、マクロ基地局又はマイクロ基地局に更に接続される。これに基づき、第１の通信ユニット３１は、具体的には、第１の受信ユニット３５により受信された第１の相関関係に従って第１のサブフレームセット内のアップリンクサブフレームで、第１の相関関係の中の論理チャネルに対応するＲＢ上でデータをマクロ基地局へ送信するよう構成される。本実施形態のＵＥの同じＲＢ内のデータは、ＵＥと１つの送信ソース（つまり、マクロ基地局）との間でのみ送信される。
【０１８６】
任意の実装では、第２の通信ユニット３２は、具体的には、第２のサブフレームセット内のサブフレームでマイクロ基地局とダウンリンクで通信するよう構成される。
【０１８７】
第２の通信ユニット３２は、具体的には、第２のサブフレームセット内のサブフレームでマイクロ基地局とダウンリンクで通信するよう構成されることは、第２の通信ユニット３２は、具体的には、以下の動作又はそれらの組合せのうちのいずれか１つを実行するよう構成されることを含む：第２の通信ユニット３２は、具体的には、第２のサブフレームセット内のダウンリンクサブフレームで、マイクロ基地局により送信されたＣＳＩ−ＲＳを受信するよう構成され、第２の通信ユニット３２は、具体的には、第２のサブフレームセット内のダウンリンクサブフレームで、マイクロ基地局により送信されたＤＭＲＳ及びＤＭＲＳに基づき復調されたチャネルを受信するよう構成される。
【０１８８】
任意の実装では、第２の通信ユニット３２は、具体的には、第２のサブフレームセット内のアップリンクサブフレームでマイクロ基地局とアップリンクで通信するよう構成される。
【０１８９】
任意で、本実施形態のＵＥは、第２の受信ユニット３６を更に有する。ここで、第２の受信ユニット３６は、第２の通信ユニット３２に接続され、第２の通信ユニット３２が第２のサブフレームセット内のアップリンクサブフレームでマイクロ基地局とアップリンクで通信する前に、マクロ基地局又はマイクロ基地局により送信された第２の相関関係を受信するよう構成され、第２の相関関係は第２のサブフレームセットに関連付けられた論理チャネルの識別子を含む。第２の受信ユニット３６は、マクロ基地局又はマイクロ基地局に更に接続される。これに基づき、第２の通信ユニット３２は、具体的には、第２の受信ユニット３６により受信された第２の相関関係に従って第２のサブフレームセット内のアップリンクサブフレームで、第２の相関関係の中の論理チャネルに対応するＲＢ上でデータをマイクロ基地局へ送信するよう構成される。本実施形態のＵＥの同じＲＢ内のデータは、ＵＥと１つの送信ソース（つまり、マイクロ基地局）との間でのみ送信される。
【０１９０】
任意の実装では、本実施形態のＵＥは、第３の受信ユニット３７を更に有する。第３の受信ユニット３７は、マクロ基地局又はマイクロ基地局に接続され、第１のサブフレームセット及び第２のサブフレームセットの間を区別できるように、第１のサブフレームセットの構成及び／又は第２のサブフレームセットの構成を受信するよう構成される。任意で、第３の受信ユニット３７は、第１の決定ユニット３３及び第２の決定ユニット３４に接続される。
【０１９１】
任意の実装では、本実施形態のＵＥは、第４の受信ユニット３８を更に有する。第４の受信ユニット３８は、マクロ基地局又はマイクロ基地局により送信された第１の物理層パラメータ構成を受信するよう構成される。これに基づき、第１の通信ユニット３１は、具体的には、第１の物理層パラメータ構成に従って第１のサブフレームセット内のサブフレームでマクロ基地局と通信するよう構成される。第４の受信ユニット３８は、第１の通信ユニット３１に接続され、第１の通信ユニット３１に第１の物理層パラメータ構成を提供するよう構成される。
【０１９２】
任意の実装では、第４の受信ユニット３８は、マクロ基地局又はマイクロ基地局により送信された第２の物理層パラメータ構成を受信するよう更に構成される。任意で、第２の物理層パラメータ構成は、第１の物理層パラメータ構成と異なる。これに基づき、第２の通信ユニット３２は、具体的には、第２の物理層パラメータ構成に従って第２のサブフレームセット内のサブフレームでマイクロ基地局と通信するよう構成される。第４の受信ユニット３８は、第２の通信ユニット３２に接続され、第２の通信ユニット３２に第２の物理層パラメータ構成を提供するよう構成される。
【０１９３】
ここで留意すべきことに、特有の実装では、前述の複数の受信ユニットは、１つの受信機を用いることにより実装されても良く、本発明はこれに限定されない。
【０１９４】
本実施形態によるＵＥの機能ユニットは、ＵＥの観点から記載された協調送信方法における対応する手順を実行し、機能ユニットの特有の動作原理はここで再び記載されない。詳細については、方法の実施形態の記載を参照のこと。
【０１９５】
本実施形態のＵＥは、マクロ基地局及びマイクロ基地局と時分割多重方法で別個に通信し、ＵＥのコンテキストは、マクロ基地局及びマイクロ基地局で別個に生成される。したがって、マクロ基地局及びマイクロ基地局は、ＵＥのコンテキストをリアルタイムに共有する必要がなく、マクロ基地局とマイクロ基地局との間のバックホールリンクの通信遅延についての要件を減らす。このように、マクロ基地局及びマイクロ基地局は、光ファイバ又は高速マイクロ波により相互接続される必要がない。本実施形態による協調送信方法は、もはやマクロ基地局及びマイクロ基地局が相互接続される方法により妨げられず、広範な用途範囲に適用でき、協調送信技術を完全に活用できる。
【０１９６】
図５は、本発明の一実施形態によるマクロ基地局の概略的構造図である。図５に示すように、本実施形態のマクロ基地局は、第３の通信ユニット５１を有する。
【０１９７】
第３の通信ユニット５１は、ＵＥに接続され、第１のサブフレームセット内のサブフレームでＵＥと通信するよう構成され、ＵＥは、第２のサブフレームセット内のサブフレームでマイクロ基地局と更に通信する。本実施形態では、第１のサブフレームセット内のサブフレームと第２のサブフレームセット内のサブフレームは重なり合わない。
【０１９８】
ＵＥのシグナリング接続が本実施形態のマクロ基地局において確立された場合、本実施形態のマクロ基地局は、以下の機能ユニットを更に有しても良い。
【０１９９】
任意で、本実施形態のマクロ基地局は、第１の送信ユニット５２を更に有する。第１の送信ユニット５２は、マイクロ基地局に接続され、第１のサブフレームセット及び／又は第２のサブフレームセットをマイクロ基地局へ送信するよう構成され、したがって、マイクロ基地局は第２のサブフレームセットを取得する。第１の送信ユニット５２は、具体的には、第１のサブフレームセット及び／又は第２のサブフレームセットを決定し、第１のサブフレームセット及び／又は第２のサブフレームセットをマイクロ基地局へ送信しても良い。追加で、第１の送信ユニット５２は、第３の通信ユニット５１に更に接続され、第１のサブフレームセットを第３の通信ユニット５１に提供するよう構成される。
【０２００】
任意で、本実施形態のマクロ基地局は、第２の送信ユニット５３を更に有する。第２の送信ユニット５３は、マイクロ基地局に接続され、マクロ基地局により使用されＵＥに対応するＨＡＲＱプロセス識別子セット及び／又はマイクロ基地局により使用されＵＥに対応するＨＡＲＱプロセス識別子セットをマイクロ基地局へ送信するよう構成される。したがって、マイクロ基地局は、マイクロ基地局により使用されＵＥに対応するＨＡＲＱ識別子セットを取得する。第２の送信ユニット５３は、マイクロ基地局と交渉することにより、マクロ基地局により使用されＵＥに対応するＨＡＲＱプロセス識別子セット及び／又はマイクロ基地局により使用されＵＥに対応するＨＡＲＱプロセス識別子セットを決定しても良く、マクロ基地局により使用されＵＥに対応するＨＡＲＱプロセス識別子セット及び／又はマイクロ基地局により使用されＵＥに対応するＨＡＲＱプロセス識別子セットをマイクロ基地局に提供する。追加で、第２の送信ユニット５３は、第３の通信ユニット５１に更に接続され、マクロ基地局により使用されＵＥに対応するＨＡＲＱプロセス識別子セットを第３の通信ユニット５１に提供するよう構成される。
【０２０１】
任意で、本実施形態のマクロ基地局は、第３の送信ユニット５４を更に有する。第３の送信ユニット５４は、ＵＥに接続され、それぞれ第１のサブフレームセット及び第２のサブフレームセットに対応する第１の物理層パラメータ構成及び第２の物理層パラメータ構成をＵＥへ送信するよう構成される。このように、ＵＥは、それぞれ第１の物理層パラメータ構成及び第２の物理層パラメータ構成を用いることにより第１のサブフレームセット及び第２のサブフレームセット内のサブフレームでマクロ基地局及びマイクロ基地局と通信しても良い。これは、通信品質を向上する。
【０２０２】
任意の実装では、本実施形態のマクロ基地局は、第１の取得ユニット５６を更に有する。第１の取得ユニット５６は、第３の送信ユニット５４が第１の物理層パラメータ構成及び第２の物理層パラメータ構成をＵＥへ送信する前に、第１の物理層パラメータ構成を決定し、マイクロ基地局により送信された第２の物理層パラメータ構成を受信して、第１の物理層パラメータ構成及び第２の物理層パラメータ構成を予め取得する。第１の取得ユニット５６は、マイクロ基地局及び第３の送信ユニット５４に接続され、第１の物理層パラメータ構成及び第２の物理層パラメータ構成を第３の送信ユニット５４に提供するよう構成される。第１の取得ユニット５６は、第３の通信ユニット５１に更に接続される。
【０２０３】
任意の実装では、本実施形態のマクロ基地局は、第２の取得ユニット５７を更に有する。第２の取得ユニット５７は、第３の送信ユニット５４が第１の物理層パラメータ構成及び第２の物理層パラメータ構成をＵＥへ送信する前に、第１の物理層パラメータ構成及び第２の物理層パラメータ構成を別個に決定するよう構成される。第２の取得ユニット５７は、第３の送信ユニット５４に接続され、第１の物理層パラメータ構成及び第２の物理層パラメータ構成を第３の送信ユニット５４に提供するよう構成される。第２の取得ユニット５７は、第３の通信ユニット５１に更に接続される。
【０２０４】
任意で、第３の送信ユニット５４は、第２の取得ユニット５７により取得された第２の物理層パラメータ構成をマイクロ基地局へ送信するよう更に構成される。
【０２０５】
任意で、本実施形態のマクロ基地局は、第４の送信ユニット５５を更に有する。第４の送信ユニット５５は、ＵＥに接続され、第１の相関関係をＵＥへ送信するよう構成され、第１の相関関係は第１のサブフレームセットに関連付けられた論理チャネルの識別子を有する。これに基づき、第３の通信ユニット５１は、具体的には、第１のサブフレームセット内のアップリンクサブフレームで、ＵＥにより送信された、第１の相関関係の中の論理チャネルの識別子に対応するＲＢ上のデータを受信するよう構成される。本実施形態のマクロ基地局は、第４の送信ユニット５５を用いることによりＵＥのために第１の相関関係を構成する。したがって、ＵＥは、第１のサブフレームセット内のアップリンクサブフレームで、第１の相関関係の中の論理チャネルの識別子に対応するＲＢ上でデータをマクロ基地局へ送信する。これは、ＵＥの１又は複数のＲＢ上のデータを、ＵＥと１つの送信ソース（つまり、マクロ基地局）との間でのみ送信させる。第４の送信ユニット５５は、第３の通信ユニット５１に更に接続される。
【０２０６】
任意の実装では、第４の送信ユニット５５は、第２の相関関係をＵＥへ送信するよう更に構成される。第２の相関関係は、第２のサブフレームセットに関連付けられた論理チャネルの識別子を有する。したがって、ＵＥは、第２のサブフレームセット内のアップリンクサブフレームで、第２の相関関係の中の論理チャネルの識別子に対応するＲＢ上でデータをマイクロ基地局へ送信する。本実施形態のマクロ基地局は、第４の送信ユニット５５を用いることによりＵＥのために第２の相関関係を構成する。したがって、ＵＥは、第２のサブフレームセット内のアップリンクサブフレームで、第２の相関関係の中の論理チャネルの識別子に対応するＲＢ上でデータをマイクロ基地局へ送信する。これは、ＵＥの１又は複数のＲＢ上のデータを、ＵＥと１つの送信ソース（つまり、マイクロ基地局）との間でのみ送信させる。
【０２０７】
任意の実装では、本実施形態のマクロ基地局は、第５の送信ユニット５８を更に有する。第５の送信ユニット５８は、第３の通信ユニット５１が第１のサブフレームセット内のサブフレームでＵＥと通信する前に、第１のサブフレームセットの構成及び／又は第２のサブフレームセットの構成をＵＥへ送信するよう構成される。したがって、ＵＥは、第１のサブフレームセットと第２のサブフレームセットとの間で区別できる。第５の送信ユニット５８は、第１の送信ユニット５２及び第３の通信ユニット５１に更に接続される。
【０２０８】
任意の実装では、第３の通信ユニット５１は、具体的には、第１のサブフレームセット内のダウンリンクサブフレームでＵＥとダウンリンクで通信するよう構成される。
【０２０９】
第３の通信ユニット５１は、具体的には、第１のサブフレームセット内のダウンリンクサブフレームでＵＥとダウンリンクで通信するよう構成されることは、第３の通信ユニット５１は、具体的には、以下の動作又はそれらの組合せのうちのいずれか１つを実行するよう構成される：第３の通信ユニット５１は、具体的には、第１のサブフレームセット内のダウンリンクサブフレームで、ＣＲＳ及びＣＲＳに基づき復調されたチャネルをＵＥへ送信するよう構成され、第３の通信ユニット５１は、具体的には、第１のサブフレームセット内のダウンリンクサブフレームで、ＰＳＳをＵＥへ送信するよう構成され、第３の通信ユニット５１は、具体的には、第１のサブフレームセット内のダウンリンクサブフレームで、ＳＳＳをＵＥへ送信するよう構成され、第３の通信ユニット５１は、具体的には、第１のサブフレームセット内のダウンリンクサブフレームで、ＤＭＲＳに基づき復調されたｅＰＤＣＣＨをＵＥへ送信するよう構成される。
【０２１０】
任意の実装では、第３の通信ユニット５１は、具体的には、第１のサブフレームセット内のアップリンクサブフレームでＵＥとアップリンクで通信するよう構成される。
【０２１１】
本実施形態のマクロ基地局の機能ユニットは、マクロ基地局の観点から記載された協調送信方法の対応する手順を実行するよう構成され、機能ユニットの特有の動作原理はここで再び記載されない。詳細については、方法の実施形態の記載を参照のこと。
【０２１２】
本実施形態によるマクロ基地局はＵＥがマクロ基地局及びマイクロ基地局と時分割多重方式で別個に通信するのを支援し、マクロ基地局は第１のサブフレームセット内のサブフレームでＵＥと通信する。したがって、マクロ基地局及びマイクロ基地局はＵＥのコンテキストをリアルタイムに共有する必要がない。これは、無線インタフェース側における通信遅延に関する要件を減らす。このように、もはやマクロ基地局とマイクロ基地局との間の相互接続方法に課される制限が存在しないことにより、協調送信技術のアプリケーションシナリオ及び範囲を拡張する。さらに、本実施形態のマクロ基地局は、協調送信手順中に直面し得る複数の問題を更に解決する。例えば、ＵＥの同じＲＢ上のデータは、ＵＥと１つの送信ソースとの間でのみ送信される。これは、データ送信の正確性を保証する。別の例では、異なる物理層パラメータ構成が異なるサブフレームセットのために設けられる。これは、通信品質を向上する。更に別の例では、本実施形態のマクロ基地局は、ＵＥと異なる信号又はチャネルをマイクロ基地局と交換することにより、協調送信を実装するだけでなく、通信効率も向上する。
【０２１３】
図６は、本発明の一実施形態によるマイクロ基地局の概略的構造図である。図６に示すように、本実施形態のマイクロ基地局は、第４の通信ユニット６１を有する。
【０２１４】
第４の通信ユニット６１は、ＵＥに接続され、第２のサブフレームセット内のサブフレームでＵＥと通信するよう構成され、ＵＥは、第１のサブフレームセット内のサブフレームでマクロ基地局と更に通信する。本実施形態では、第１のサブフレームセット内のサブフレームと第２のサブフレームセット内のサブフレームは重なり合わない。
【０２１５】
任意で、本実施形態のマイクロ基地局は、第５の受信ユニット６２を更に有する。第５の受信ユニット６２は、マクロ基地局に接続され、マクロ基地局により送信された第１のサブフレームセット及び／又は第２のサブフレームセットを受信するよう構成され、したがって、第２のサブフレームセットを取得する。第５の受信ユニット６２は、第４の通信ユニット６１に接続され、第４の通信ユニット６１に第２のサブフレームセットを提供するよう構成される。
【０２１６】
任意で、本実施形態のマイクロ基地局は、第６の受信ユニット６３を更に有する。第６の受信ユニット６３は、マクロ基地局に接続され、マクロ基地局により使用されＵＥに対応するＨＡＲＱプロセス識別子セット及び／又はマイクロ基地局により使用されＵＥに対応するＨＡＲＱプロセス識別子セットをマクロ基地局から受信するよう構成され、したがって、マイクロ基地局により使用されＵＥに対応するＨＡＲＱ識別子セットを取得する。第６の受信ユニット６３は、第４の通信ユニット６１に接続され、マイクロ基地局により使用されＵＥに対応するＨＡＲＱプロセス識別子セットを第４の通信ユニット６１に提供するよう構成される。
【０２１７】
ＵＥのシグナリング接続が本実施形態のマイクロ基地局において確立された場合、本実施形態のマイクロ基地局は、以下の機能ユニットを更に有しても良い。
【０２１８】
任意で、本実施形態のマイクロ基地局は、第６の送信ユニット６４を更に有する。第６の送信ユニット６４は、ＵＥに接続され、それぞれ第１のサブフレームセット及び第２のサブフレームセットに対応する第１の物理層パラメータ構成及び第２の物理層パラメータ構成をＵＥへ送信するよう構成される。本実施形態のマイクロ基地局は、第６の送信ユニット６４を用いることにより、ＵＥの異なるサブフレームセットのための異なる物理層パラメータ構成を提供しても良い。このように、ＵＥは、異なるサブフレームサブセット内のサブフレームで無線インタフェース送信を実行するために、対応する物理層パラメータ構成を用いても良い。これは、異なるチャネル状態を適用するために好ましく、送信品質を向上するために好ましい。
【０２１９】
任意の実装では、本実施形態のマイクロ基地局は、第３の取得ユニット６６を更に有する。第３の取得ユニット６６は、第６の送信ユニット６４が第１の物理層パラメータ構成及び第２の物理層パラメータ構成をＵＥへ送信する前に、第２の物理層パラメータ構成を決定し、マクロ基地局により送信された第１の物理層パラメータ構成を受信するよう構成される。第３の取得ユニット６６は、マクロ基地局及び第６の送信ユニット６４に接続され、第１の物理層パラメータ構成及び第２の物理層パラメータ構成を第６の送信ユニット６４に提供するよう構成される。第３の取得ユニット６６は、第４の通信ユニット６１に更に接続される。
【０２２０】
任意の実装では、本実施形態のマイクロ基地局は、第４の取得ユニット６７を更に有する。第４の取得ユニット６７は、第６の送信ユニット６４が第１の物理層パラメータ構成及び第２の物理層パラメータ構成をＵＥへ送信する前に、第１の物理層パラメータ構成及び第２の物理層パラメータ構成を別個に決定するよう構成される。第４の取得ユニット６７は、第６の送信ユニット６４に接続され、第１の物理層パラメータ構成及び第２の物理層パラメータ構成を第６の送信ユニット６４に提供するよう構成される。第４の取得ユニット６７は、第４の通信ユニット６１に更に接続される。
【０２２１】
任意で、第６の送信ユニット６４は、マクロ基地局に更に接続され、第４の取得ユニット６７により決定された第１の物理層パラメータ構成をマクロ基地局へ送信するよう更に構成される。
【０２２２】
任意で、本実施形態のマイクロ基地局は、第７の送信ユニット６５を更に有する。第７の送信ユニット６５は、ＵＥに接続され、第２の相関関係をＵＥへ送信するよう構成され、第２の相関関係は第２のサブフレームセットに関連付けられた論理チャネルの識別子を有する。これに基づき、第４の通信ユニット６１は、具体的には、第２のサブフレームセット内のアップリンクサブフレームで、ＵＥにより送信された、第２の相関関係の中の論理チャネルの識別子に対応するＲＢ上のデータを受信するよう構成される。本実施形態のマイクロ基地局は、第７の送信ユニット６５を用いることによりＵＥのために第２の相関関係を構成する。したがって、ＵＥは、第２のサブフレームセット内のアップリンクサブフレームで、第２の相関関係の中の論理チャネルの識別子に対応するＲＢ上でデータをマイクロ基地局へ送信する。これは、ＵＥの１又は複数のＲＢ上のデータを、ＵＥと１つの送信ソース（つまり、マイクロ基地局）との間でのみ送信させる。第７の送信ユニット６５は、第４の通信ユニット６１に更に接続される。
【０２２３】
任意の実装では、第７の送信ユニット６５は、第１の相関関係をＵＥへ送信するよう更に構成される。第１の相関関係は、第１のサブフレームセットに関連付けられた論理チャネルの識別子を有する。したがって、ＵＥは、第１のサブフレームセット内のアップリンクサブフレームで、第１の相関関係の中の論理チャネルの識別子に対応するＲＢ上でデータをマクロ基地局へ送信する。本実施形態のマイクロ基地局は、第７の送信ユニット６５を用いることによりＵＥのために第１の相関関係を構成する。したがって、ＵＥは、第１のサブフレームセット内のアップリンクサブフレームで、第１の相関関係の中の論理チャネルの識別子に対応するＲＢ上でデータをマクロ基地局へ送信する。これは、ＵＥの１又は複数のＲＢ上のデータを、ＵＥと１つの送信ソース（つまり、マクロ基地局）との間でのみ送信させる。
【０２２４】
任意の実装では、本実施形態のマイクロ基地局は、第８の送信ユニット６８を更に有する。第８の送信ユニット６８は、ＵＥに接続され、第４の通信ユニット６１が第２のサブフレームセット内のサブフレームでＵＥと通信する前に、第１のサブフレームセットの構成及び／又は第２のサブフレームセットの構成をＵＥへ送信するよう構成される。したがって、ＵＥは、第１のサブフレームセットと第２のサブフレームセットとの間で区別できる。第８の送信ユニット６８は、第４の通信ユニット６１に接続される。
【０２２５】
任意の実装では、第４の通信ユニット６１は、具体的には、第２のサブフレームセット内のダウンリンクサブフレームでＵＥとダウンリンクで通信するよう構成される。
【０２２６】
第４の通信ユニット６１は、具体的には、第２のサブフレームセット内のダウンリンクサブフレームでＵＥとダウンリンクで通信するよう構成されることは、第４の通信ユニット６１は、具体的には、以下の動作又はそれらの組合せのうちのいずれか１つを実行するよう構成されることを含む：第４の通信ユニット６１は、具体的には、第２のサブフレームセット内のダウンリンクサブフレームで、ＣＳＩ−ＲＳをＵＥへ送信するよう構成され、第４の通信ユニット６１は、具体的には、第２のサブフレームセット内のダウンリンクサブフレームで、ＤＭＲＳ及びＤＭＲＳに基づき復調されたチャネルをＵＥへ送信するよう構成される。
【０２２７】
任意の実装では、第４の通信ユニット６１は、具体的には、第２のサブフレームセット内のアップリンクサブフレームでＵＥとアップリンクで通信するよう構成される。
【０２２８】
本実施形態のマイクロ基地局の機能ユニットは、マイクロ基地局の観点から記載された協調送信方法の対応する手順を実行するよう構成され、機能ユニットの特有の動作原理はここで再び記載されない。詳細については、方法の実施形態の記載を参照のこと。
【０２２９】
本実施形態によるマイクロ基地局はＵＥがマクロ基地局及びマイクロ基地局と時分割多重方式で別個に通信するのを支援し、マイクロ基地局は第２のサブフレームセット内のサブフレームでＵＥと通信する。したがって、マクロ基地局及びマイクロ基地局はＵＥのコンテキストをリアルタイムに共有する必要がない。これは、無線インタフェース側における通信遅延に関する要件を減らす。このように、もはやマクロ基地局とマイクロ基地局との間の相互接続方法に課される制限が存在しないことにより、協調送信技術のアプリケーションシナリオ及び範囲を拡張する。さらに、本実施形態のマイクロ基地局は、協調送信手順中に直面し得る複数の問題を更に解決する。例えば、ＵＥの同じＲＢ上のデータは、ＵＥと１つの送信ソースとの間でのみ送信される。これは、データ送信の正確性を保証する。別の例では、異なる物理層パラメータ構成が異なるサブフレームセットのために設けられる。これは、通信品質を向上する。更に別の例では、本実施形態のマイクロ基地局は、ＵＥと異なる信号又はチャネルをマクロ基地局と交換することにより、協調送信を実装するだけでなく、通信効率も向上する。
【０２３０】
当業者は、方法の実施形態のステップの全部又は一部が関連するハードウェアに指示するプログラムにより実装されても良いことを理解する。プログラムは、コンピュータ可読記憶媒体に格納されても良い。プログラムが実行するとき、方法の実施形態のステップが実行される。前述の記憶媒体は、ROM、RAM、磁気ディスク又は光ディスクのようなプログラムコードを格納可能な任意の媒体を含む。
【０２３１】
最後に、留意すべきことに、前述の実施形態は、単に本発明の技術的ソリューションを説明するためであり、本発明の範囲を限定しない。本発明は、前述の実施形態を参照して詳細に説明されたが、当業者は、本発明の実施形態の技術的ソリューションの範囲から逸脱することなく、彼らが前述の実施形態で説明した技術的ソリューションに変更を行い、又はそれら実施形態の一部又は全部の技術的特徴を等価に置換できることを理解する。
【図１Ａ】
0006030238.tif 000003
【図１Ｂ】
0006030238.tif 000004
【図２】
0006030238.tif 000005
【図３】
0006030238.tif 000006
【図４】
0006030238.tif 000007
【図５】
0006030238.tif 000008
【図６】
0006030238.tif 000009